(57)【要約】本発明は、容易に、かつ確実にアクセスの制限を行うことができるようにする通信システムおよび方法、情報処理端末および方法、情報処理装置および方法に関する。ＰＤＡ１１が近接されたとき、パーソナルコンピュータ１のリーダ２は、ＩＣタグ１２に記憶されている機器ＩＤを読み出す。パーソナルコンピュータ１は、機器ＩＤを接続許可リストに登録し、そのリストに登録されている機器からのみ、接続を許可する。ＰＤＡ１１は、アクセスすることが指示されたとき、通信部を制御してパーソナルコンピュータ１にアクセスし、機器ＩＤを送信する。パーソナルコンピュータ１は、送信されてきた機器ＩＤが接続許可リストに登録されているか否かを判定し、登録されていると判定した場合、接続を許可する。本発明は、パーソナルコンピュータやＰＤＡなどの各種の情報処理装置に適用することができる。
2003038635.tif 000002
【特許請求の範囲】
【請求項１】
情報処理端末と情報処理装置からなる通信システムにおいて、
前記情報処理端末は、
近接された前記情報処理装置に対して、無線通信により自分自身の識別情報を提供する提供手段と、
前記情報処理装置と、有線または無線により通信を行う第１の通信手段と
を備え、
前記第１の通信手段は、前記情報処理装置に対して接続することが指示されたとき、前記識別情報を前記情報処理装置に送信し、送信された前記識別情報に基づいて前記情報処理装置により許可されたとき前記通信を行う
ことを特徴とし、
前記情報処理装置は、
近接された前記情報処理端末から、無線通信により前記識別情報を取得する取得手段と、
前記情報処理端末と、有線または無線により前記通信を行う第２の通信手段と、
前記取得手段により取得された前記識別情報を記憶する記憶手段と
を備え、
前記第２の通信手段は、前記情報処理端末から前記識別情報を受信し、受信された前記識別情報が前記記憶手段により記憶されている前記識別情報と同一であると判定したとき、前記情報処理端末と前記通信を行う
ことを特徴とする通信システム。
【請求項２】
情報処理端末と情報処理装置からなる通信システムの通信方法において、
前記情報処理端末の情報処理方法は、
近接された前記情報処理装置に対して、無線通信により自分自身の識別情報を提供する提供ステップと、
前記情報処理装置と、有線または無線により通信を行う第１の通信ステップと
を含み、
前記情報処理装置に対して接続することが指示されたとき、前記識別情報を前記情報処理装置に送信し、送信された前記識別情報に基づいて前記情報処理装置により許可されたとき前記通信を行う
ことを特徴とし、
前記情報処理装置の情報処理方法は、
近接された前記情報処理端末から、無線通信により前記識別情報を取得する取得ステップと、
前記情報処理端末と、有線または無線により前記通信を行う第２の通信ステップと、
前記取得ステップの処理により取得された前記識別情報を記憶する記憶ステップと
を含み、
前記情報処理端末から前記識別情報を受信し、受信された前記識別情報が前記記憶ステップの処理により記憶されている前記識別情報と同一であると判定したとき、前記情報処理端末と前記通信を行う
ことを特徴とする通信方法。
【請求項３】
近接された情報処理装置に対して、無線通信により自分自身の識別情報を提供する提供手段と、
前記情報処理装置と、有線または無線により通信を行う通信手段と
を備え、
前記通信手段は、前記情報処理装置に対して接続することが指示されたとき、前記識別情報を前記情報処理装置に送信し、送信された前記識別情報に基づいて前記情報処理装置により許可されたとき前記通信を行う
ことを特徴とする情報処理端末。
【請求項４】
前記情報処理装置と前記通信を行うための通信情報を記憶する記憶手段をさらに備え、
前記通信手段は、前記記憶手段により記憶されている前記通信情報に基づいて、前記情報処理装置にアクセスし、前記識別情報を送信する
ことを特徴とする請求の範囲第３項に記載の情報処理端末。
【請求項５】
近接された情報処理装置に対して、無線通信により自分自身の識別情報を提供する提供ステップと、
前記情報処理装置と、有線または無線により通信を行う通信ステップと
を含み、
前記情報処理装置に対して接続することが指示されたとき、前記識別情報を前記情報処理装置に送信し、送信された前記識別情報に基づいて前記情報処理装置により許可されたとき前記通信を行う
ことを特徴とする情報処理方法。
【請求項６】
近接された情報処理装置に対する、無線通信による自分自身の識別情報の提供を制御する提供制御ステップと、
前記情報処理装置との、有線または無線による通信を制御する通信制御ステップと
を含み、
前記情報処理装置に対して接続することが指示されたとき、前記識別情報を前記情報処理装置に送信し、送信された前記識別情報に基づいて前記情報処理装置により許可されたとき前記通信を行う
ことをコンピュータに実行させるプログラム。
【請求項７】
近接された情報処理端末から、無線通信により第１の識別情報を取得する取得手段と、
前記情報処理端末と、有線または無線により通信を行う通信手段と、
前記取得手段により取得された前記第１の識別情報を記憶する記憶手段と
を備え、
前記通信手段は、前記情報処理端末から第２の識別情報を受信し、受信された前記第２の識別情報が前記記憶手段により記憶されている前記第１の識別情報と同一であると判定したとき、前記情報処理端末と前記通信を行う
ことを特徴とする情報処理装置。
【請求項８】
前記記憶手段は、記憶してから所定の期間が経過したとき、前記第１の識別情報を消去する
ことを特徴とする請求の範囲第７項に記載の情報処理装置。
【請求項９】
近接された情報処理端末から、無線通信により第１の識別情報を取得する取得ステップと、
前記情報処理端末と、有線または無線により通信を行う通信ステップと、
前記取得ステップの処理により取得された前記第１の識別情報を記憶する記憶ステップと
を含み、
前記情報処理端末から第２の識別情報を受信し、受信された前記第２の識別情報が前記記憶ステップの処理により記憶されている前記第１の識別情報と同一であると判定したとき、前記情報処理端末と前記通信を行う
ことを特徴とする情報処理方法。
【請求項１０】
近接された情報処理端末からの、無線通信による第１の識別情報の取得を制御する取得制御ステップと、
前記情報処理端末との、有線または無線による通信を制御する通信制御ステップと、
前記取得制御ステップの処理により取得された前記第１の識別情報の記憶を制御する記憶制御ステップと
を含み、
前記情報処理端末から第２の識別情報を受信し、受信された前記第２の識別情報が前記記憶制御ステップの処理により記憶されている前記第１の識別情報と同一であると判定したとき、前記情報処理端末と前記通信を行う
ことをコンピュータに実行させるプログラム。
【請求項１１】
情報処理端末と情報処理装置からなる通信システムにおいて、
前記情報処理端末は、
近接された前記情報処理装置から、無線通信により前記情報処理装置と通信を行うための通信情報と、パスワードを取得する取得手段と、
前記情報処理装置と、有線または無線により通信を行う第１の通信手段と
を備え、
前記第１の通信手段は、前記情報処理装置に対して接続することが指示されたとき、前記取得手段により取得された前記通信情報に基づいて、前記情報処理装置にアクセスし、前記情報処理装置に対して前記パスワードを送信し、送信された前記パスワードに基づいて前記情報処理装置により許可されたとき前記通信を行う
ことを特徴とし、
前記情報処理装置は、
近接された前記情報処理端末に対して、無線通信により所定の情報を提供する提供手段と、
前記情報処理端末と、有線または無線により前記通信を行う第２の通信手段と、
前記第２の通信手段により前記通信を行うための前記通信情報と、前記パスワードを記憶する記憶手段と
を備え、
前記提供手段は、前記情報として、前記記憶手段により記憶されている前記通信情報と前記パスワードを前記情報処理端末に提供し、
前記第２の通信手段は、前記情報処理端末から送信されてきた前記パスワードを受信し、受信された前記パスワードと、前記記憶手段により記憶されている前記パスワードが同一であると判定したとき、前記情報処理端末と前記通信を行う
ことを特徴とする通信システム。
【請求項１２】
情報処理端末と情報処理装置からなる通信システムの通信方法において、
前記情報処理端末の情報処理方法は、
近接された前記情報処理装置から、無線通信により前記情報処理装置と通信を行うための通信情報と、パスワードを取得する取得ステップと、
前記情報処理装置と、有線または無線により通信を行う第１の通信ステップと
を含み、
前記情報処理装置に対して接続することが指示されたとき、前記取得ステップの処理により取得された前記通信情報に基づいて、前記情報処理装置にアクセスし、前記情報処理装置に対して前記パスワードを送信し、送信された前記パスワードに基づいて前記情報処理装置により許可されたとき前記通信を行う
ことを特徴とし、
前記情報処理装置の情報処理方法は、
近接された前記情報処理端末に対して、無線通信により所定の情報を提供する提供ステップと、
前記情報処理端末と、有線または無線により前記通信を行う第２の通信ステップと、
前記第２の通信ステップの処理により前記通信を行うための前記通信情報と、前記パスワードを記憶する記憶ステップと
を含み、
前記情報として、前記記憶ステップの処理により記憶されている前記通信情報と前記パスワードを前記情報処理端末に提供し、
前記情報処理端末から送信されてきた前記パスワードを受信し、受信された前記パスワードと、前記記憶ステップの処理により記憶されている前記パスワードが同一であると判定したとき、前記情報処理端末と前記通信を行う
ことを特徴とする通信方法。
【請求項１３】
近接された情報処理装置から、無線通信により前記情報処理装置と通信を行うための通信情報と、パスワードを取得する取得手段と、
前記情報処理装置と、有線または無線により通信を行う通信手段と
を備え、
前記通信手段は、前記情報処理装置に対して接続することが指示されたとき、前記取得手段により取得された前記通信情報に基づいて、前記情報処理装置にアクセスし、前記情報処理装置に対して前記パスワードを送信し、送信された前記パスワードに基づいて前記情報処理装置により許可されたとき前記通信を行う
ことを特徴とする情報処理端末。
【請求項１４】
近接された情報処理装置から、無線通信により前記情報処理装置と通信を行うための通信情報と、パスワードを取得する取得ステップと、
前記情報処理装置と、有線または無線により通信を行う通信ステップと
を含み、
前記情報処理装置に対して接続することが指示されたとき、前記取得ステップの処理により取得された前記通信情報に基づいて、前記情報処理装置にアクセスし、前記情報処理装置に対して前記パスワードを送信し、送信された前記パスワードに基づいて前記情報処理装置により許可されたとき前記通信を行う
ことを特徴とする情報処理方法。
【請求項１５】
近接された情報処理装置からの、無線通信による前記情報処理装置と通信を行うための通信情報と、パスワードの取得を制御する取得制御ステップと、
前記情報処理装置と、有線または無線による通信を制御する通信制御ステップと
を含み、
前記情報処理装置に対して接続することが指示されたとき、前記取得制御ステップの処理により取得された前記通信情報に基づいて、前記情報処理装置にアクセスし、前記情報処理装置に対して前記パスワードを送信し、送信された前記パスワードに基づいて前記情報処理装置により許可されたとき前記通信を行う
ことをコンピュータに実行させるプログラム。
【請求項１６】
近接された情報処理端末に対して、無線通信により所定の情報を提供する提供手段と、
前記情報処理端末と、有線または無線により通信を行う通信手段と、
前記通信手段により前記通信を行うための通信情報と、第１のパスワードを記憶する記憶手段と
を備え、
前記提供手段は、前記情報として、前記記憶手段により記憶されている前記通信情報と前記第１のパスワードを前記情報処理端末に提供し、
前記通信手段は、前記情報処理端末から送信されてきた第２のパスワードを受信し、受信された前記第２のパスワードと前記第１のパスワードが同一であると判定したとき、前記情報処理端末と前記通信を行う
ことを特徴とする情報処理装置。
【請求項１７】
前記記憶手段は、前記第１のパスワードを所定の周期で変更する
ことを特徴とする請求の範囲第１６項に記載の情報処理装置。
【請求項１８】
近接された情報処理端末に対して、無線通信により所定の情報を提供する提供ステップと、
前記情報処理端末と、有線または無線により通信を行う通信ステップと、
前記通信ステップの処理により前記通信を行うための通信情報と、第１のパスワードを記憶する記憶ステップと
を含み、
前記情報として、前記記憶ステップの処理により記憶されている前記通信情報と前記第１のパスワードを前記情報処理端末に提供し、
前記情報処理端末から送信されてきた第２のパスワードを受信し、受信された前記第２のパスワードと前記第１のパスワードが同一であると判定したとき、前記情報処理端末と前記通信を行う
ことを特徴とする情報処理方法。
【請求項１９】
近接された情報処理端末に対する、無線通信による所定の情報の提供を制御する提供制御ステップと、
前記情報処理端末との、有線または無線による通信を制御する通信制御ステップと、
前記通信制御ステップの処理により前記通信を行うための通信情報と、第１のパスワードの記憶を制御する記憶制御ステップと
を含み、
前記情報として、前記記憶制御ステップの処理により記憶されている前記通信情報と前記第１のパスワードを前記情報処理端末に提供し、
前記情報処理端末から送信されてきた第２のパスワードを受信し、受信された前記第２のパスワードと前記第１のパスワードが同一であると判定したとき、前記情報処理端末と前記通信を行う
ことをコンピュータに実行させるプログラム。
【請求項２０】
情報処理端末と情報処理装置からなる通信システムにおいて、
前記情報処理端末は、
近接された前記情報処理装置に対して、無線通信により自分自身の識別情報を提供する第１の提供手段と、
前記情報処理装置から、無線通信により前記情報処理装置と通信を行うための通信情報と、パスワードを取得する第１の取得手段と、
前記情報処理装置と、有線または無線により通信を行う第１の通信手段と
を備え、
前記第１の通信手段は、前記情報処理装置に対して接続することが指示されたとき、前記第１の取得手段により取得された前記通信情報に基づいて、前記情報処理装置にアクセスし、前記情報処理装置に対して前記識別情報と前記パスワードを送信し、送信された前記識別情報と前記パスワードに基づいて前記情報処理装置により許可されたとき前記通信を行う
ことを特徴とし、
前記情報処理装置は、
近接された前記情報処理端末に対して、無線通信により所定の情報を提供する第２の提供手段と、
前記情報処理端末から、無線通信により前記識別情報を取得する第２の取得手段と、
前記第２の取得手段により取得された前記識別情報を記憶する第１の記憶手段と、
前記情報処理端末と、有線または無線により前記通信を行う第２の通信手段と、
前記第２の通信手段により前記通信を行うための前記通信情報と、前記パスワードを記憶する第２の記憶手段と
を備え、
前記第２の提供手段は、前記情報として、前記第２の記憶手段により記憶されている前記通信情報と前記パスワードを前記情報処理端末に提供し、
前記第２の通信手段は、前記情報処理端末から送信されてきた前記識別情報と前記パスワードを受信し、受信された前記識別情報が前記第１の記憶手段により記憶されている前記識別情報と同一であると判定し、かつ、受信された前記パスワードと、前記第２の記憶手段により記憶されている前記パスワードが同一であると判定したとき、前記情報処理端末と前記通信を行う
ことを特徴とする通信システム。
【請求項２１】
情報処理端末と情報処理装置からなる通信システムの通信方法において、
前記情報処理端末の情報処理方法は、
近接された前記情報処理装置に対して、無線通信により自分自身の識別情報を提供する第１の提供ステップと、
前記情報処理装置から、無線通信により前記情報処理装置と通信を行うための通信情報と、パスワードを取得する第１の取得ステップと、
前記情報処理装置と、有線または無線により通信を行う第１の通信ステップと
を含み、
前記情報処理装置に対して接続することが指示されたとき、前記第１の取得ステップの処理により取得された前記通信情報に基づいて、前記情報処理装置にアクセスし、前記情報処理装置に対して前記識別情報と前記パスワードを送信し、送信された前記識別情報と前記パスワードに基づいて前記情報処理装置により許可されたとき前記通信を行う
ことを特徴とし、
前記情報処理装置の情報処理方法は、
近接された前記情報処理端末に対して、無線通信により所定の情報を提供する第２の提供ステップと、
前記情報処理端末から、無線通信により前記識別情報を取得する第２の取得ステップと、
前記２の取得ステップの処理により取得された前記識別情報を記憶する第１の記憶ステップと、
前記情報処理端末と、有線または無線により前記通信を行う第２の通信ステップと、
前記第２の通信ステップの処理により前記通信を行うための前記通信情報と、前記パスワードを記憶する第２の記憶ステップと
を含み、
前記情報として、前記第２の記憶ステップの処理により記憶されている前記通信情報と前記パスワードを前記情報処理端末に提供し、
前記情報処理端末から送信されてきた前記識別情報と前記パスワードを受信し、受信された前記識別情報が前記第１の記憶ステップの処理により記憶されている前記識別情報と同一であると判定し、かつ、受信された前記パスワードと、前記第２の記憶ステップの処理により記憶されている前記パスワードが同一であると判定したとき、前記情報処理端末と前記通信を行う
ことを特徴とする通信方法。
【請求項２２】
近接された情報処理装置に対して、無線通信により自分自身の識別情報を提供する提供手段と、
前記情報処理装置から、無線通信により前記情報処理装置と通信を行うための通信情報と、パスワードを取得する取得手段と、
前記情報処理装置と、有線または無線により通信を行う通信手段と
を備え、
前記通信手段は、前記情報処理装置に対して接続することが指示されたとき、前記取得手段により取得された前記通信情報に基づいて、前記情報処理装置にアクセスし、前記情報処理装置に対して前記識別情報と前記パスワードを送信し、送信された前記識別情報と前記パスワードに基づいて前記情報処理装置により許可されたとき前記通信を行う
ことを特徴とする情報処理端末。
【請求項２３】
近接された情報処理装置に対して、無線通信により自分自身の識別情報を提供する提供ステップと、
前記情報処理装置から、無線通信により前記情報処理装置と通信を行うための通信情報と、パスワードを取得する取得ステップと、
前記情報処理装置と、有線または無線により通信を行う通信ステップと
を含み、
前記情報処理装置に対して接続することが指示されたとき、前記取得ステップの処理により取得された前記通信情報に基づいて、前記情報処理装置にアクセスし、前記情報処理装置に対して前記識別情報と前記パスワードを送信し、送信された前記識別情報と前記パスワードに基づいて前記情報処理装置により許可されたとき前記通信を行う
ことを特徴とする情報処理方法。
【請求項２４】
近接された情報処理装置に対する、無線通信による自分自身の識別情報の提供を制御する提供制御ステップと、
前記情報処理装置からの、無線通信による前記情報処理装置と通信を行うための通信情報と、パスワードの取得を制御する取得制御ステップと、
前記情報処理装置との、有線または無線による通信を制御する通信制御ステップと
を含み、
前記情報処理装置に対して接続することが指示されたとき、前記取得制御ステップの処理により取得された前記通信情報に基づいて、前記情報処理装置にアクセスし、前記情報処理装置に対して前記識別情報と前記パスワードを送信し、送信された前記識別情報と前記パスワードに基づいて前記情報処理装置により許可されたとき前記通信を行う
ことをコンピュータに実行させるプログラム。
【請求項２５】
近接された情報処理端末に対して、無線通信により所定の情報を提供する提供手段と、
前記情報処理端末から、無線通信により第１の識別情報を取得する取得手段と、
前記取得手段により取得された前記第１の識別情報を記憶する第１の記憶手段と、
前記情報処理端末と、有線または無線により通信を行う通信手段と、
前記通信手段により前記通信を行うための通信情報と、第１のパスワードを記憶する第２の記憶手段と
を備え、
前記提供手段は、前記情報として、前記第２の記憶手段により記憶されている前記通信情報と前記第１のパスワードを前記情報処理端末に提供し、
前記通信手段は、前記情報処理端末から送信されてきた第２の識別情報と第２のパスワードを受信し、受信された前記第２の識別情報が前記第１の記憶手段により記憶されている前記第１の識別情報と同一であると判定し、かつ、受信された前記第２のパスワードと前記第１のパスワードが同一であると判定したとき、前記情報処理端末と前記通信を行う
ことを特徴とする情報処理装置。
【請求項２６】
前記第１の記憶手段は、記憶してから所定の期間が経過したとき、前記第１の識別情報を消去する
ことを特徴とする請求の範囲第２５項に記載の情報処理装置。
【請求項２７】
前記第２の記憶手段は、前記第１のパスワードを所定の周期で変更する
ことを特徴とする請求の範囲第２５項に記載の情報処理装置。
【請求項２８】
近接された情報処理端末に対して、無線通信により所定の情報を提供する提供ステップと、
前記情報処理端末から、無線通信により第１の識別情報を取得する取得ステップと、
前記取得ステップの処理により取得された前記第１の識別情報を記憶する第１の記憶ステップと、
前記情報処理端末と、有線または無線により通信を行う通信ステップと、
前記通信ステップの処理により前記通信を行うための通信情報と、第１のパスワードを記憶する第２の記憶ステップと
を含み、
前記情報として、前記第２の記憶ステップの処理により記憶されている前記通信情報と前記第１のパスワードを前記情報処理端末に提供し、
前記情報処理端末から送信されてきた第２の識別情報と第２のパスワードを受信し、受信された前記第２の識別情報が前記第１の記憶ステップの処理により記憶されている前記第１の識別情報と同一であると判定し、かつ、受信された前記第２のパスワードと前記第１のパスワードが同一であると判定したとき、前記情報処理端末と前記通信を行う
ことを特徴とする情報処理方法。
【請求項２９】
近接された情報処理端末に対する、無線通信による所定の情報の提供を制御する提供制御ステップと、
前記情報処理端末からの、無線通信による第１の識別情報の取得を制御する取得制御ステップと、
前記取得制御ステップの処理により取得された前記第１の識別情報の記憶を制御する第１の記憶制御ステップと、
前記情報処理端末との、有線または無線による通信を制御する通信制御ステップと、
前記通信制御ステップの処理により前記通信を行うための通信情報と、第１のパスワードの記憶を制御する第２の記憶制御ステップと
を含み、
前記情報として、前記第２の記憶制御ステップの処理により記憶されている前記通信情報と前記第１のパスワードを前記情報処理端末に提供し、
前記情報処理端末から送信されてきた第２の識別情報と第２のパスワードを受信し、受信された前記第２の識別情報が前記第１の記憶制御ステップの処理により記憶されている前記第１の識別情報と同一であると判定し、かつ、受信された前記第２のパスワードと前記第１のパスワードが同一であると判定したとき、前記情報処理端末と前記通信を行う
ことをコンピュータに実行させるプログラム。
【発明の詳細な説明】
技術分野
本発明は、通信システムおよび方法、情報処理端末および方法、情報処理装置および方法に関し、特に、容易に、かつ確実にアクセスの制限を行うことができるようにする通信システムおよび方法、情報処理端末および方法、情報処理装置および方法に関する。
背景技術
近年、通信技術の発達に伴い、各種の通信機器を利用して、所定のサーバにアクセスし、自分のいる場所や時間にとらわれずに必要な情報を取得できるようになってきている。ユーザは、例えば、携帯電話機やＰＤＡ（Ｐｅｒｓｏｎａｌ  Ｄｉｇｉｔａｌ  Ａｓｓｉｓｔａｎｔｓ）などを利用して、必要な情報をいつでも確認することができる。
ところで、サーバを管理する側からすれば、このように自由にアクセスされるのを制限する必要が生ずる場合があり、この場合、例えば、アクセスを許可する機器のＩＰアドレスを予め登録したり、アクセスしてくるユーザに対して、パスワードの入力を要求したりすることが一般的に行われている。
例えば、あるイベントに集まっている人に対してのみ、所定の情報を配信する場合、その集まっている人により使用される機器のアドレスをサーバに予め登録するなどして、アクセスの制限を行っている。
しかしながら、アクセスを制限するために、アクセスを許可する全ての機器のＩＰアドレスを予め登録するとなると、その作業が非常に煩雑であるという課題があった。
アクセスを許可する機器の数が割と少ない場合は、そのような課題は生じないものの、その数が数百や数千といったように多い場合、全ての機器のＩＰアドレスを登録する作業は、非常に困難である。
また、上述したように、ユーザにパスワードを予め通知しておき、パスワードの入力を要求することによりアクセスを制限する場合、ユーザの中には、パスワードを忘れてしまう者が存在するおそれがある。また、ユーザは、パスワードを覚えていたとしても、その入力が面倒であるという課題があった。
発明の開示
本発明はこのような状況に鑑みてなされたものであり、容易に、かつ確実にアクセスの制限を行うことができるようにしたものである。
本発明の第１の通信システムの情報処理端末は、近接された情報処理装置に対して、無線通信により自分自身の識別情報を提供する提供手段と、情報処理装置と、有線または無線により通信を行う第１の通信手段とを備え、第１の通信手段は、情報処理装置に対して接続することが指示されたとき、識別情報を情報処理装置に送信し、送信された識別情報に基づいて情報処理装置により許可されたとき通信を行うことを特徴とし、情報処理装置は、近接された情報処理端末から、無線通信により識別情報を取得する取得手段と、情報処理端末と、有線または無線により通信を行う第２の通信手段と、取得手段により取得された識別情報を記憶する記憶手段とを備え、第２の通信手段は、情報処理端末から識別情報を受信し、受信された識別情報が記憶手段により記憶されている識別情報と同一であると判定したとき、情報処理端末と通信を行うことを特徴とする。
本発明の第１の通信システムの通信方法は、近接された情報処理装置に対して、無線通信により自分自身の識別情報を提供する提供ステップと、情報処理装置と、有線または無線により通信を行う第１の通信ステップとを含み、情報処理装置に対して接続することが指示されたとき、識別情報を情報処理装置に送信し、送信された識別情報に基づいて情報処理装置により許可されたとき通信を行うことを特徴とし、近接された情報処理端末から、無線通信により識別情報を取得する取得ステップと、情報処理端末と、有線または無線により通信を行う第２の通信ステップと、取得ステップの処理により取得された識別情報を記憶する記憶ステップとを含み、情報処理端末から識別情報を受信し、受信された識別情報が記憶ステップの処理により記憶されている識別情報と同一であると判定したとき、情報処理端末と通信を行うことを特徴とする。
本発明の第１の情報処理端末は、近接された情報処理装置に対して、無線通信により自分自身の識別情報を提供する提供手段と、情報処理装置と、有線または無線により通信を行う通信手段とを備え、通信手段は、情報処理装置に対して接続することが指示されたとき、識別情報を情報処理装置に送信し、送信された識別情報に基づいて情報処理装置により許可されたとき通信を行うことを特徴とする。
情報処理装置と通信を行うための通信情報を記憶する記憶手段をさらに備え、通信手段は、記憶手段により記憶されている通信情報に基づいて、情報処理装置にアクセスし、識別情報を送信するようにすることができる。
本発明の第１の情報処理端末の情報処理方法は、近接された情報処理装置に対して、無線通信により自分自身の識別情報を提供する提供ステップと、情報処理装置と、有線または無線により通信を行う通信ステップとを含み、情報処理装置に対して接続することが指示されたとき、識別情報を情報処理装置に送信し、送信された識別情報に基づいて情報処理装置により許可されたとき通信を行うことを特徴とする。
本発明のプログラムは、近接された情報処理装置に対する、無線通信による自分自身の識別情報の提供を制御する提供制御ステップと、情報処理装置と、有線または無線による通信を制御する通信制御ステップとを含み、情報処理装置に対して接続することが指示されたとき、識別情報を情報処理装置に送信し、送信された識別情報に基づいて情報処理装置により許可されたとき通信を行うことをコンピュータに実行させることを特徴とする。
本発明の第１の情報処理装置は、近接された情報処理端末から、無線通信により第１の識別情報を取得する取得手段と、情報処理端末と、有線または無線により通信を行う通信手段と、取得手段により取得された第１の識別情報を記憶する記憶手段とを備え、通信手段は、情報処理端末から第２の識別情報を受信し、受信された第２の識別情報が記憶手段により記憶されている第１の識別情報と同一であると判定したとき、情報処理端末と通信を行うことを特徴とする。
記憶手段は、記憶してから所定の期間が経過したとき、第１の識別情報を消去するようにすることができる。
本発明の第１の情報処理装置の情報処理方法は、近接された情報処理端末から、無線通信により第１の識別情報を取得する取得ステップと、情報処理端末と、有線または無線により通信を行う通信ステップと、取得ステップの処理により取得された第１の識別情報を記憶する記憶ステップとを含み、情報処理端末から第２の識別情報を受信し、受信された第２の識別情報が記憶ステップの処理により記憶されている第１の識別情報と同一であると判定したとき、情報処理端末と通信を行うことを特徴とする。
本発明のプログラムは、近接された情報処理端末からの、無線通信による第１の識別情報の取得を制御する取得制御ステップと、情報処理端末と、有線または無線による通信を制御する通信制御ステップと、取得制御ステップの処理により取得された第１の識別情報の記憶を制御する記憶制御ステップとを含み、情報処理端末から第２の識別情報を受信し、受信された第２の識別情報が記憶制御ステップの処理により記憶されている第１の識別情報と同一であると判定したとき、情報処理端末と通信を行うことをコンピュータに実行させることを特徴とする。
本発明の第２の通信システムの情報処理端末は、近接された情報処理装置から、無線通信により情報処理装置と通信を行うための通信情報と、パスワードを取得する取得手段と、情報処理装置と、有線または無線により通信を行う第１の通信手段とを備え、第１の通信手段は、情報処理装置に対して接続することが指示されたとき、取得手段により取得された通信情報に基づいて、情報処理装置にアクセスし、情報処理装置に対してパスワードを送信し、送信されたパスワードに基づいて情報処理装置により許可されたとき通信を行うことを特徴とし、情報処理装置は、近接された情報処理端末に対して、無線通信により所定の情報を提供する提供手段と、情報処理端末と、有線または無線により通信を行う第２の通信手段と、第２の通信手段により通信を行うための通信情報と、パスワードを記憶する記憶手段とを備え、提供手段は、情報として、記憶手段により記憶されている通信情報とパスワードを情報処理端末に提供し、第２の通信手段は、情報処理端末から送信されてきたパスワードを受信し、受信されたパスワードと、記憶手段により記憶されているパスワードが同一であると判定したとき、情報処理端末と通信を行うことを特徴とする。
本発明の第２の通信システムの通信方法は、近接された情報処理装置から、無線通信により情報処理装置と通信を行うための通信情報と、パスワードを取得する取得ステップと、情報処理装置と、有線または無線により通信を行う第１の通信ステップとを含み、情報処理装置に対して接続することが指示されたとき、取得ステップの処理により取得された通信情報に基づいて、情報処理装置にアクセスし、情報処理装置に対してパスワードを送信し、送信されたパスワードに基づいて情報処理装置により許可されたとき通信を行うことを特徴とし、近接された情報処理端末に対して、無線通信により所定の情報を提供する提供ステップと、情報処理端末と、有線または無線により通信を行う第２の通信ステップと、第２の通信ステップの処理により通信を行うための通信情報と、パスワードを記憶する記憶ステップとを含み、情報として、記憶ステップの処理により記憶されている通信情報とパスワードを情報処理端末に提供し、情報処理端末から送信されてきたパスワードを受信し、受信されたパスワードと、記憶ステップの処理により記憶されているパスワードが同一であると判定したとき、情報処理端末と通信を行うことを特徴とする。
本発明の第２の情報処理端末は、近接された情報処理装置から、無線通信により情報処理装置と通信を行うための通信情報と、パスワードを取得する取得手段と、情報処理装置と、有線または無線により通信を行う通信手段とを備え、通信手段は、情報処理装置に対して接続することが指示されたとき、取得手段により取得された通信情報に基づいて、情報処理装置にアクセスし、情報処理装置に対してパスワードを送信し、送信されたパスワードに基づいて情報処理装置により許可されたとき通信を行うことを特徴とする。
本発明の第２の情報処理端末の情報処理方法は、近接された情報処理装置から、無線通信により情報処理装置と通信を行うための通信情報と、パスワードを取得する取得ステップと、情報処理装置と、有線または無線により通信を行う通信ステップとを含み、情報処理装置に対して接続することが指示されたとき、取得ステップの処理により取得された通信情報に基づいて、情報処理装置にアクセスし、情報処理装置に対してパスワードを送信し、送信されたパスワードに基づいて情報処理装置により許可されたとき通信を行うことを特徴とする。
本発明のプログラムは、近接された情報処理装置からの、無線通信による情報処理装置と通信を行うための通信情報と、パスワードの取得を制御する取得制御ステップと、情報処理装置と、有線または無線による通信を制御する通信制御ステップとを含み、情報処理装置に対して接続することが指示されたとき、取得制御ステップの処理により取得された通信情報に基づいて、情報処理装置にアクセスし、情報処理装置に対してパスワードを送信し、送信されたパスワードに基づいて情報処理装置により許可されたとき通信を行うことをコンピュータに実行させることを特徴とする。
本発明の第２の情報処理装置は、近接された情報処理端末に対して、無線通信により所定の情報を提供する提供手段と、情報処理端末と、有線または無線により通信を行う通信手段と、通信手段により通信を行うための通信情報と、第１のパスワードを記憶する記憶手段とを備え、提供手段は、情報として、記憶手段により記憶されている通信情報と第１のパスワードを情報処理端末に提供し、通信手段は、情報処理端末から送信されてきた第２のパスワードを受信し、受信された第２のパスワードと第１のパスワードが同一であると判定したとき、情報処理端末と通信を行うことを特徴とする。
記憶手段は、第１のパスワードを所定の周期で変更するようにすることができる。
本発明の第２の情報処理装置の情報処理方法は、近接された情報処理端末に対して、無線通信により所定の情報を提供する提供ステップと、情報処理端末と、有線または無線により通信を行う通信ステップと、通信ステップの処理により通信を行うための通信情報と、第１のパスワードを記憶する記憶ステップとを含み、情報として、記憶ステップの処理により記憶されている通信情報と第１のパスワードを情報処理端末に提供し、情報処理端末から送信されてきた第２のパスワードを受信し、受信された第２のパスワードと第１のパスワードが同一であると判定したとき、情報処理端末と通信を行うことを特徴とする。
本発明のプログラムは、近接された情報処理端末に対する、無線通信による所定の情報の提供を制御する提供制御ステップと、情報処理端末と、有線または無線による通信を制御する通信制御ステップと、通信制御ステップの処理により通信を行うための通信情報と、第１のパスワードの記憶を制御する記憶制御ステップとを含み、情報として、記憶制御ステップの処理により記憶されている通信情報と第１のパスワードを情報処理端末に提供し、情報処理端末から送信されてきた第２のパスワードを受信し、受信された第２のパスワードと第１のパスワードが同一であると判定したとき、情報処理端末と通信を行うことをコンピュータに実行させることを特徴とする。
本発明の第３の通信システムの情報処理端末は、近接された情報処理装置に対して、無線通信により自分自身の識別情報を提供する第１の提供手段と、情報処理装置から、無線通信により情報処理装置と通信を行うための通信情報と、パスワードを取得する第１の取得手段と、情報処理装置と、有線または無線により通信を行う第１の通信手段とを備え、第１の通信手段は、情報処理装置に対して接続することが指示されたとき、第１の取得手段により取得された通信情報に基づいて、情報処理装置にアクセスし、情報処理装置に対して識別情報とパスワードを送信し、送信された識別情報とパスワードに基づいて情報処理装置により許可されたとき通信を行うことを特徴とし、情報処理装置は、近接された情報処理端末に対して、無線通信により所定の情報を提供する第２の提供手段と、情報処理端末から、無線通信により識別情報を取得する第２の取得手段と、第２の取得手段により取得された識別情報を記憶する第１の記憶手段と、情報処理端末と、有線または無線により通信を行う第２の通信手段と、第２の通信手段により通信を行うための通信情報と、パスワードを記憶する第２の記憶手段とを備え、第２の提供手段は、情報として、第２の記憶手段により記憶されている通信情報とパスワードを情報処理端末に提供し、第２の通信手段は、情報処理端末から送信されてきた識別情報とパスワードを受信し、受信された識別情報が第１の記憶手段により記憶されている識別情報と同一であると判定し、かつ、受信されたパスワードと、第２の記憶手段により記憶されているパスワードが同一であると判定したとき、情報処理端末と通信を行うことを特徴とする。
本発明の第３の通信システムの通信方法は、近接された情報処理装置に対して、無線通信により自分自身の識別情報を提供する第１の提供ステップと、情報処理装置から、無線通信により情報処理装置と通信を行うための通信情報と、パスワードを取得する第１の取得ステップと、情報処理装置と、有線または無線により通信を行う第１の通信ステップとを含み、情報処理装置に対して接続することが指示されたとき、第１の取得ステップの処理により取得された通信情報に基づいて、情報処理装置にアクセスし、情報処理装置に対して識別情報とパスワードを送信し、送信された識別情報とパスワードに基づいて情報処理装置により許可されたとき通信を行うことを特徴とし、情報処理装置の情報処理方法は、近接された情報処理端末に対して、無線通信により所定の情報を提供する第２の提供ステップと、情報処理端末から、無線通信により識別情報を取得する第２の取得ステップと、第２の取得ステップの処理により取得された識別情報を記憶する第１の記憶ステップと、情報処理端末と、有線または無線により通信を行う第２の通信ステップと、第２の通信ステップの処理により通信を行うための通信情報と、パスワードを記憶する第２の記憶ステップとを含み、情報として、第２の記憶ステップの処理により記憶されている通信情報とパスワードを情報処理端末に提供し、情報処理端末から送信されてきた識別情報とパスワードを受信し、受信された識別情報が第１の記憶ステップの処理により記憶されている識別情報と同一であると判定し、かつ、受信されたパスワードと、第２の記憶ステップの処理により記憶されているパスワードが同一であると判定したとき、情報処理端末と通信を行うことを特徴とする。
本発明の第３の情報処理端末は、近接された情報処理装置に対して、無線通信により自分自身の識別情報を提供する提供手段と、情報処理装置から、無線通信により情報処理装置と通信を行うための通信情報と、パスワードを取得する取得手段と、情報処理装置と、有線または無線により通信を行う通信手段とを備え、通信手段は、情報処理装置に対して接続することが指示されたとき、取得手段により取得された通信情報に基づいて、情報処理装置にアクセスし、情報処理装置に対して識別情報とパスワードを送信し、送信された識別情報とパスワードに基づいて情報処理装置により許可されたとき通信を行うことを特徴とする。
本発明の第３の情報処理端末の情報処理方法は、近接された情報処理装置に対して、無線通信により自分自身の識別情報を提供する提供ステップと、情報処理装置から、無線通信により情報処理装置と通信を行うための通信情報と、パスワードを取得する取得ステップと、情報処理装置と、有線または無線により通信を行う通信ステップとを含み、情報処理装置に対して接続することが指示されたとき、取得ステップの処理により取得された通信情報に基づいて、情報処理装置にアクセスし、情報処理装置に対して識別情報とパスワードを送信し、送信された識別情報とパスワードに基づいて情報処理装置により許可されたとき通信を行うことを特徴とする。
本発明のプログラムは、近接された情報処理装置に対する、無線通信による自分自身の識別情報の提供を制御する提供制御ステップと、情報処理装置から、無線通信により情報処理装置と通信を行うための通信情報と、パスワードの取得を制御する取得制御ステップと、情報処理装置と、有線または無線による通信を制御する通信制御ステップとを含み、情報処理装置に対して接続することが指示されたとき、取得制御ステップの処理により取得された通信情報に基づいて、情報処理装置にアクセスし、情報処理装置に対して識別情報とパスワードを送信し、送信された識別情報とパスワードに基づいて情報処理装置により許可されたとき通信を行うことをコンピュータに実行させることを特徴とする。
本発明の第３の情報処理装置は、近接された情報処理端末に対して、無線通信により所定の情報を提供する提供手段と、情報処理端末から、無線通信により第１の識別情報を取得する取得手段と、取得手段により取得された第１の識別情報を記憶する第１の記憶手段と、情報処理端末と、有線または無線により通信を行う通信手段と、通信手段により通信を行うための通信情報と、第１のパスワードを記憶する第２の記憶手段とを備え、提供手段は、情報として、第２の記憶手段により記憶されている通信情報と第１のパスワードを情報処理端末に提供し、通信手段は、情報処理端末から送信されてきた第２の識別情報と第２のパスワードを受信し、受信された第２の識別情報が第１の記憶手段により記憶されている第１の識別情報と同一であると判定し、かつ、受信された第２のパスワードと第１のパスワードが同一であると判定したとき、情報処理端末と通信を行うことを特徴とする。
第１の記憶手段は、記憶してから所定の期間が経過したとき、第１の識別情報を消去するようにすることができる。
第２の記憶手段は、第１のパスワードを所定の周期で変更するようにすることができる。
本発明の第３の情報処理装置の情報処理方法は、近接された情報処理端末に対して、無線通信により所定の情報を提供する提供ステップと、情報処理端末から、無線通信により第１の識別情報を取得する取得ステップと、取得ステップの処理により取得された第１の識別情報を記憶する第１の記憶ステップと、情報処理端末と、有線または無線により通信を行う通信ステップと、通信ステップの処理により通信を行うための通信情報と、第１のパスワードを記憶する第２の記憶ステップとを含み、情報として、第２の記憶ステップの処理により記憶されている通信情報と第１のパスワードを情報処理端末に提供し、情報処理端末から送信されてきた第２の識別情報と第２のパスワードを受信し、受信された第２の識別情報が第１の記憶ステップの処理により記憶されている第１の識別情報と同一であると判定し、かつ、受信された第２のパスワードと第１のパスワードが同一であると判定したとき、情報処理端末と通信を行うことを特徴とする。
本発明のプログラムは、近接された情報処理端末に対する、無線通信による所定の情報の提供を制御する提供制御ステップと、情報処理端末からの、無線通信による第１の識別情報の取得を制御する取得制御ステップと、取得制御ステップの処理により取得された第１の識別情報の記憶を制御する第１の記憶制御ステップと、情報処理端末と、有線または無線による通信を制御する通信制御ステップと、通信制御ステップの処理により通信を行うための通信情報と、第１のパスワードの記憶を制御する第２の記憶制御ステップとを含み、情報として、第２の記憶制御ステップの処理により記憶されている通信情報と第１のパスワードを情報処理端末に提供し、情報処理端末から送信されてきた第２の識別情報と第２のパスワードを受信し、受信された第２の識別情報が第１の記憶制御ステップの処理により記憶されている第１の識別情報と同一であると判定し、かつ、受信された第２のパスワードと第１のパスワードが同一であると判定したとき、情報処理端末と通信を行うことをコンピュータに実行させることを特徴とする。
本発明の第１の通信システムおよび方法においては、情報処理端末により、近接された情報処理装置に対して、無線通信により自分自身の識別情報が提供され、情報処理装置と、有線または無線により通信が行われ、情報処理装置に対して接続することが指示されたとき、識別情報が情報処理装置に送信され、送信された識別情報に基づいて情報処理装置により許可されたとき通信が行われる。また、情報処理装置により、近接された情報処理端末から、無線通信により識別情報が取得され、情報処理端末と、有線または無線により通信が行われ、取得された識別情報が記憶される。そして、情報処理端末から識別情報が受信され、受信された識別情報が記憶されている識別情報と同一であると判定されたとき、情報処理端末と通信が行われる。
本発明の第１の情報処理端末および方法、並びにプログラムにおいては、近接された情報処理装置に対して、無線通信により自分自身の識別情報が提供され、情報処理装置と、有線または無線により通信が行われる。また、情報処理装置に対して接続することが指示されたとき、識別情報が情報処理装置に送信され、送信された識別情報に基づいて情報処理装置により許可されたとき通信が行われる。
本発明の第１の情報処理装置および方法、並びにプログラムにおいては、近接された情報処理端末から、無線通信により第１の識別情報が取得され、情報処理端末と、有線または無線により通信が行われ、取得された第１の識別情報が記憶される。また、情報処理端末から第２の識別情報が受信され、受信された第２の識別情報が第１の識別情報と同一であると判定されたとき、情報処理端末と通信が行われる。
本発明の第２の通信システムおよび方法においては、情報処理端末により、近接された情報処理装置から、無線通信により情報処理装置と通信を行うための通信情報と、パスワードが取得され、情報処理装置と、有線または無線により通信が行われる。また、情報処理装置に対して接続することが指示されたとき、取得された通信情報に基づいて、情報処理装置にアクセスされ、情報処理装置に対してパスワードが送信され、送信されたパスワードに基づいて情報処理装置により許可されたとき通信が行われる。さらに、情報処理装置により、近接された情報処理端末に対して、無線通信により所定の情報が提供され、情報処理端末と、有線または無線により通信が行われ、通信を行うための通信情報と、パスワードが記憶される。そして、記憶されている通信情報とパスワードが情報処理端末に提供され、情報処理端末から送信されてきたパスワードが受信され、受信されたパスワードと、記憶されているパスワードが同一であると判定されたとき、情報処理端末と通信が行われる。
本発明の第２の情報処理端末および方法、並びにプログラムにおいては、近接された情報処理装置から、無線通信により情報処理装置と通信を行うための通信情報と、パスワードが取得され、情報処理装置と、有線または無線により通信が行われる。また、情報処理装置に対して接続することが指示されたとき、取得された通信情報に基づいて、情報処理装置にアクセスされ、情報処理装置に対してパスワードが送信され、送信されたパスワードに基づいて情報処理装置により許可されたとき通信が行われる。
本発明の第２の情報処理装置および方法、並びにプログラムにおいては、近接された情報処理端末に対して、無線通信により所定の情報が提供され、情報処理端末と、有線または無線により通信が行われ、通信を行うための通信情報と、第１のパスワードが記憶される。また、記憶されている通信情報と第１のパスワードが情報処理端末に提供され、情報処理端末から送信されてきた第２のパスワードが受信され、受信された第２のパスワードと第１のパスワードが同一であると判定されたとき、情報処理端末と通信が行われる。
本発明の第３の通信システムおよび方法においては、情報処理端末により、近接された情報処理装置に対して、無線通信により自分自身の識別情報が提供され、情報処理装置から、無線通信により情報処理装置と通信を行うための通信情報と、パスワードが取得され、情報処理装置と、有線または無線により通信が行われる。また、情報処理装置に対して接続することが指示されたとき、取得された通信情報に基づいて、情報処理装置にアクセスされ、情報処理装置に対して識別情報とパスワードが送信され、送信された識別情報とパスワードに基づいて情報処理装置により許可されたとき通信が行われる。また、情報処理装置により、近接された情報処理端末に対して、無線通信により所定の情報が提供され、情報処理端末から、無線通信により識別情報が取得され、取得された識別情報が記憶され、情報処理端末と、有線または無線により通信が行われ、通信を行うための通信情報と、パスワードが記憶される。さらに、記憶されている通信情報とパスワードが情報処理端末に提供され、情報処理端末から送信されてきた識別情報とパスワードが受信され、受信された識別情報が記憶されている識別情報と同一であると判定され、かつ、受信されたパスワードと、記憶されているパスワードが同一であると判定されたとき、情報処理端末と通信が行われる。
本発明の第３の情報処理端末および方法、並びにプログラムにおいては、近接された情報処理装置に対して、無線通信により自分自身の識別情報が提供され、情報処理装置から、無線通信により情報処理装置と通信を行うための通信情報と、パスワードが取得され、情報処理装置と、有線または無線により通信が行われる。また、情報処理装置に対して接続することが指示されたとき、取得された通信情報に基づいて、情報処理装置にアクセスされ、情報処理装置に対して識別情報とパスワードが送信され、送信された識別情報とパスワードに基づいて情報処理装置により許可されたとき通信が行われる。
本発明の第３の情報処理装置および方法、並びにプログラムにおいては、近接された情報処理端末に対して、無線通信により所定の情報が提供され、情報処理端末から、無線通信により第１の識別情報が取得され、取得された第１の識別情報が記憶され、情報処理端末と、有線または無線により通信が行われ、通信を行うための通信情報と、第１のパスワードが記憶される。また、記憶されている通信情報と第１のパスワードが情報処理端末に提供され、情報処理端末から送信されてきた第２の識別情報と第２のパスワードが受信され、受信された第２の識別情報が記憶されている第１の識別情報と同一であると判定され、かつ、受信された第２のパスワードと第１のパスワードが同一であると判定されたとき、情報処理端末と通信が行われる。
発明を実施するための最良の形態
図１は、本発明を適用した通信システムの構成例を示す図である。
パーソナルコンピュータ１は、ＰＤＡ（Ｐｅｒｓｏｎａｌ  Ｄｉｇｉｔａｌ  Ａｓｓｉｓｔａｎｔｓ）１１が近接されたとき、図の一点鎖線で示されるように、リーダ２から輻射される電磁波を利用して、ＰＤＡ１１のＩＣタグ１２に記憶されている情報を取得する。
パーソナルコンピュータ１は、ＩＣタグ１２に記憶されている情報として、例えば、ＰＤＡ１１に対して固有のものとして設定されているＩＰアドレスやブルートゥースアドレスなどの機器ＩＤを取得する。
そして、パーソナルコンピュータ１は、リーダ２により取得された機器ＩＤを用いて、アクセスの制限を行う。
具体的には、パーソナルコンピュータ１とＰＤＡ１１には、それぞれ、有線、または無線を介して通信を行う通信部（通信部２９（図２参照）、通信部８９（図４参照））が設けられており、パーソナルコンピュータ１は、ＰＤＡ１１から、その通信部を介した通信が要求されたとき、始めに、機器ＩＤを送信することをＰＤＡ１１に要求する。
ＰＤＡ１１は、この要求に応じて、通信部８９からパーソナルコンピュータ１に対して機器ＩＤを送信する。
パーソナルコンピュータ１は、通信部２９において、ＰＤＡ１１から送信されてきた機器ＩＤを受信したとき、その機器ＩＤが、リーダ２により予め取得されているものと同一であるか否かを判定し、同一であると判定した場合、通信部２９による通信、すなわち、接続を許可する。
従って、ＰＤＡ１１以外の他の機器からパーソナルコンピュータ１に対して接続が要求された場合であっても、機器ＩＤがパーソナルコンピュータ１に予め通知されていないため、その機器は、パーソナルコンピュータ１と通信を行うことができないこととなる。
例えば、パーソナルコンピュータ１が、所定の情報を配信するサーバとして会場に設置されている場合、その会場に集まっている人は、自分自身の機器（ＩＣタグが内蔵されている機器）をパーソナルコンピュータ１に近接させるだけで、その後、パーソナルコンピュータ１にアクセスすることができ、情報を取得することができる。すなわち、パーソナルコンピュータ１に機器を近接させていない人は、パーソナルコンピュータ１にアクセスすることができず、情報を取得することができない。
図２は、図１のパーソナルコンピュータ１の構成例を示すブロック図である。
ＣＰＵ（Ｃｅｎｔｒａｌ  Ｐｒｏｃｅｓｓｉｎｇ  Ｕｎｉｔ）２１は、ＲＯＭ（Ｒｅａｄ  Ｏｎｌｙ  Ｍｅｍｏｒｙ）２２、または記憶部２８に記憶されているプログラムに従って、各種の処理を実行する。ＲＡＭ２３には、ＣＰＵ２１が実行するプログラムやデータが適宜記憶される。ＣＰＵ２１、ＲＯＭ２２、およびＲＡＭ２３は、バス２４を介して相互に接続されている。
バス２４には、入出力インタフェース２５が接続されており、この入出力インタフェース２５には、上述したように、ＰＤＡ１１に内蔵されているＩＣタグ１２から情報を読み取るリーダ２、例えば、ＬＣＤ（Ｌｉｑｕｉｄ  Ｃｒｙｓｔａｌ  Ｄｉｓｐｌａｙ）などよりなる表示部２６、ユーザにより操作されるキーボードやマウスなどよりなる入力部２７、ハードディスクなどで構成される記憶部２８が接続されている。
また、入出力インタフェース２５には、例えば、ブルートゥースや無線ＬＡＮ（Ｌｏｃａｌ  Ａｒｅａ  Ｎｅｔｗｏｒｋ）などの無線通信を利用して、または、有線による通信を利用して、様々な機器と通信を行う通信部２９が接続されている。
さらに、入出力インタフェース２５には、ドライブ３０が接続されている。ドライブ３０には、磁気ディスク３１、光ディスク３２、光磁気ディスク３３、または半導体メモリ３４などが適宜装着できるようになされている。これらの磁気ディスク３１及至半導体メモリ３４より読み出されたプログラムは、ドライブ３０から入出力インタフェース２５を介して、例えば、記憶部２８に供給され、記憶される。
図３は、図２のリーダ２の詳細な構成例を示すブロック図である。
ＩＣ４１は、ＣＰＵ６１、ＲＯＭ６２、ＲＡＭ６３、ＳＣＣ（Ｓｅｒｉａｌ  Ｃｏｍｍｕｎｉｃａｔｉｏｎ  Ｃｏｎｔｒｏｌｌｅｒ）６４、ＳＰＵ（Ｓｉｇｎａｌ  Ｐｒｏｃｅｓｓｉｎｇ  Ｕｎｉｔ）６６、並びに、これらのＣＰＵ６１乃至ＳＰＵ６６を相互に接続するバス６５から構成されている。
ＣＰＵ６１は、ＲＯＭ６２に格納されている制御プログラムをＲＡＭ６３に展開し、ＰＤＡ１１のＩＣタグ１２から送信されてきたデータや、図２のＣＰＵ２１から供給されてきた制御信号に基づいて、各種の処理を実行する。例えば、ＣＰＵ６１は、ＰＤＡ１１のＩＣタグ１２から機器ＩＤが送信されてきたとき、それをＣＰＵ２１に供給する。
ＳＣＣ６４は、図２のＣＰＵ２１から供給されてきたデータを、バス６５を介してＣＰＵ６１に供給したり、ＣＰＵ６１から、バス６５を介して供給されてきたデータをＣＰＵ２１に出力する。
ＳＰＵ６６は、所定のデータが復調部４４から供給されてきたとき、そのデータに対して、例えば、ＢＰＳＫ（Ｂｉｎａｒｙ  Ｐｈａｓｅ  Ｓｈｉｆｔ  Ｋｅｙｉｎｇ）復調（マンチェスターコードのデコード）などを施し、取得したデータをＣＰＵ６１に供給する。また、ＳＰＵ６６は、ＰＤＡ１１に送信するコマンドがバス６５を介して供給されてきたとき、そのコマンドにＢＰＳＫ変調（マンチェスターコードへのコーディング）を施し、取得したデータを変調部４２に出力する。すなわち、リーダ２は、必要に応じて、ＰＤＡ１１のＩＣタグ１２に所定の情報を書き込むこともできる。
変調部４２は、発振回路４３から供給される所定の周波数（例えば、１３．５６ＭＨｚ）の搬送波を、ＳＰＵ６６より供給されるデータに基づいて、ＡＳＫ（Ａｍｐｌｉｔｕｄｅ  Ｓｈｉｆｔ  Ｋｅｙｉｎｇ）変調し、生成された変調波を、電磁波としてアンテナ４５から出力する。一方、復調部４４は、アンテナ４５を介して取得した変調波（ＡＳＫ変調波）を復調し、復調されたデータをＳＰＵ６６に出力する。
アンテナ４５は、所定の電磁波を輻射し、それに対する負荷の変化に基づいて、例えば、ＰＤＡ１１のＩＣタグ１２を検出し、各種のデータを受信する（読み出す）。
図４は、ＰＤＡ１１の構成例を示すブロック図である。
ＣＰＵ８１乃至通信部８９は、パーソナルコンピュータ１のＣＰＵ２１乃至通信部２９と基本的に同様であるため、その詳細な説明は適宜省略する。
ＣＰＵ８１は、ＲＯＭ８２等に記憶されている制御プログラムに基づいてＰＤＡ１１の全体の動作を制御し、例えば、機器ＩＤをパーソナルコンピュータ１に提供できるように、ＩＣタグ１２に記憶されている情報を管理する。
また、ＣＰＵ８１は、通信部８９を制御してパーソナルコンピュータ１にアクセスしたとき、自分自身の機器ＩＤをパーソナルコンピュータ１に送信できるように、ＩＣタグ１２に記憶されている機器ＩＤと同一のＩＤを、例えば、記憶部８８に記憶させている。
通信部８９は、パーソナルコンピュータ１の通信部２９と同様に、ブルートゥースや無線ＬＡＮなどの無線により、または有線により各種の機器と通信する。
図５は、図４のＩＣタグ１２の構成例を示すブロック図である。
ＩＣタグ１２は、例えば、アンテナ１１２と、それ以外の構成が１チップに格納されたＩＣ１１１から構成され、電磁誘導を利用して、例えば、パーソナルコンピュータ１のリーダ２と各種のデータを半二重通信する。なお、ＩＣタグ１２と同様の機能を有するものとして、例えば、Ｆｅｌｉｃａ（登録商標）などがある。
ＣＰＵ１２１は、ＲＯＭ１２２に格納されている制御プログラムに基づいてＩＣタグ１２の全体の動作を制御する。
ＳＰＵ１２６は、ＡＳＫ復調部１２９で復調されたデータがＢＰＳＫ変調されている場合、図示せぬＰＬＬ部から供給されるクロック信号に基づいて、そのデータの復調（マンチェスターコードのデコード）を行い、復調したデータを、バス１２５を介してＣＰＵ１２１等に適宜出力する。
また、ＳＰＵ１２６は、バス１２５を介して供給されてきたデータにＢＰＳＫ変調（マンチェスターコードへのコーディング）を行い、それをＡＳＫ変調部１２７に出力する。
ＡＳＫ変調部１２７は、例えば、機器ＩＤなどのデータをパーソナルコンピュータ１のリーダ２に送信する場合、ＳＰＵ１２６から供給されるデータに対応して、例えば、所定のスイッチング素子をオン／オフさせ、スイッチング素子がオン状態であるときだけ、所定の負荷をアンテナ１１２に並列に接続させることにより、アンテナ１１２の負荷を変動させる。
ＡＳＫ変調部１２７は、アンテナ１１２の負荷の変動により、アンテナ１１２において受信されている、リーダ２からの変調波をＡＳＫ変調し、その変調成分を、アンテナ１１２を介してリーダ２に送信する（リーダ２のアンテナ４５の端子電圧を変動させる）。
ＡＳＫ復調部１２９は、アンテナ１１２を介して受信した変調波（ＡＳＫ変調波）を包絡線検波して復調し、復調後のデータをＳＰＵ１２６に出力する。アンテナ１１２においては、例えば、リーダ２から輻射される所定の周波数の電磁波により共振が生じている。
電源生成部１３０は、アンテナ１１２において励起された交流磁界を整流し、安定化した後、各部に直流電源として供給する。
次に、図１の通信システムの動作について説明する。
始めに、図６のフローチャートを参照して、ＰＤＡ１１から機器ＩＤを取り込み、それを登録するパーソナルコンピュータ１の処理について説明する。
ステップＳ１において、ＣＰＵ２１は、リーダ２からの出力に基づいて、ＰＤＡ１１のＩＣタグ１２から、機器ＩＤを読み出したか否かを判定し、読み出したと判定するまで待機する。
例えば、リーダ２は、ＩＣタグ１２を検出するための電磁波を常時輻射しており、ＩＣタグ１２（ＰＤＡ１１）が近接されたとき、ＩＣタグ１２に記憶されているＰＤＡ１１の機器ＩＤを読み出す。
ステップＳ１において、ＣＰＵ２１は、機器ＩＤを読み出したと判定した場合、ステップＳ２に進み、ＰＤＡ１１の機器ＩＤを接続許可リストに登録する。
接続許可リストは、リーダ２により読み出された機器ＩＤのリストであり、記憶部２８に保存される。このリストに登録されている機器ＩＤを有する機器のみが、通信部２９に対する接続（アクセス）を行うことができる。
その後、処理はステップＳ１に戻り、それ以降の処理が繰り返し実行される。
次に、図７のフローチャートを参照して、機器ＩＤをパーソナルコンピュータ１に登録するＰＤＡ１１の処理について説明する。
ステップＳ１１において、ＩＣタグ１２のＣＰＵ１２１は、パーソナルコンピュータ１のリーダ２に近接されたか否かを判定し、近接されたと判定するまで待機する。
上述したように、リーダ２からは、ＩＣタグ１２を検出するための電磁波が輻射されているため、ＣＰＵ１２１は、それがアンテナ１１２において受信されたとき、ステップＳ１において、リーダ２に近接されたと判定し、ステップＳ１２に進み、フラッシュメモリ１２４に記憶されている機器ＩＤを提供する。
提供された機器ＩＤは、パーソナルコンピュータ１のリーダ２により受信され、接続許可リストに登録される。
その後、処理はステップＳ１１に戻り、それ以降の処理が繰り返し実行される。
次に、図８のフローチャートを参照して、パーソナルコンピュータ１（通信部２９）に対して接続するＰＤＡ１１の処理について説明する。
ステップＳ２１において、ＣＰＵ８１は、入力部８７からの出力に基づいて、パーソナルコンピュータ１に接続することがユーザから指示されたか否かを判定し、指示されたと判定するまで待機する。
ＣＰＵ８１は、ステップＳ２１において、パーソナルコンピュータ１に接続することが指示されたと判定した場合、ステップＳ２２に進み、通信部８９を制御し、パーソナルコンピュータ１にアクセスするとともに、自分自身の機器ＩＤを送信する。
例えば、パーソナルコンピュータ１と通信を行うためのアドレスや、通信方式を識別する情報（通信情報）などが記憶部８８に記憶されている場合、ＣＰＵ８１は、それに基づいてパーソナルコンピュータ１にアクセスし、機器ＩＤを通信部８９から送信する。当然、パーソナルコンピュータ１にアクセスするための情報を、ユーザに入力させるようにしてもよい。
通信部８９から無線、または有線で送信された機器ＩＤは、後述するように、パーソナルコンピュータ１の通信部２９において受信され、その機器ＩＤが接続許可リストに登録されているか否かが判定される。
そして、ステップＳ２３において、ＣＰＵ８１は、通信部８９において受信された情報に基づいて、接続を許可することがパーソナルコンピュータ１から通知されてきたか否かを判定する。
ＣＰＵ８１は、ステップＳ２３において、接続を許可することが通知されてきていない（接続が拒否された）と判定した場合、ステップＳ２１に戻り、それ以降の処理を繰り返し実行する。
一方、ＣＰＵ８１は、ステップＳ２３において、接続を許可することが通知されたと判定した場合、ステップＳ２４に進み、通信部８９を制御して、パーソナルコンピュータ１との通信を確立し、所定の情報を送受信する。その後、処理はステップＳ２１に戻り、それ以降の処理が繰り返し実行される。
次に、図９のフローチャートを参照して、図８の処理に対応して実行されるパーソナルコンピュータ１の処理について説明する。
ステップＳ３１において、ＣＰＵ２１は、通信部２９からの出力に基づいて、ＰＤＡ１１から接続が要求されたか否かを判定し、接続が要求されたと判定するまで待機する。
ＣＰＵ２１は、ステップＳ３１において、接続が要求されたと判定した場合、ステップＳ３２に進み、通信部２９において受信された機器ＩＤを取得する。図８のフローチャートを参照して説明したように、接続が要求されたとき、ＰＤＡ１１からは、ＰＤＡ１１の機器ＩＤが送信されてくる。
そして、ＣＰＵ２１は、ステップＳ３３において、記憶部２８に保存しておいた接続許可リストを参照し、送信されてきた機器ＩＤが接続許可リストに登録されているか否か、すなわち、接続を許可するか否かを判定する。
ＣＰＵ２１は、ステップＳ３３において、送信されてきた機器ＩＤが接続許可リストに登録されていないと判定した場合、ステップＳ３４に進み、機器ＩＤを送信してきた機器に対して、接続を許可できないことを通知する。
一方、ステップＳ３３において、ＣＰＵ２１は、送信されてきた機器ＩＤが接続許可リストに登録されていると判定した場合、ステップＳ３５に進み、通信部２９を制御し、接続を許可することを通知する。例えば、上述したようにして、ＰＤＡ１１の機器ＩＤが登録されている場合、ＰＤＡ１１に対しては、接続を許可することが通知される。
そして、ステップＳ３６において、接続が許可された、例えば、ＰＤＡ１１との間で通信が確立され、所定の情報が送受信される。
以上のように、ＩＣタグ１２を利用して機器ＩＤを提供するようにしたので、ＰＤＡ１１のユーザ（パーソナルコンピュータ１に接続することを希望するユーザ）は、ＰＤＡ１１をパーソナルコンピュータ１に近接させるだけで、機器ＩＤを登録することができる。
また、接続許可リストに登録されている機器ＩＤを有する機器に対してのみ、接続を許可するようにしたので、パーソナルコンピュータ１に機器を近接させていないユーザからのアクセスを防止することができる。
次に、図１０のフローチャートを参照して、接続許可リストに登録されている機器ＩＤを管理するパーソナルコンピュータ１の処理について説明する。
ステップＳ５１において、ＣＰＵ２１は、接続許可リストを参照し、接続許可リストの中に、登録されてから所定の時間経過した機器ＩＤがあるか否かを判定する。
ＣＰＵ２１は、ステップＳ５１において、所定の時間経過した機器ＩＤがないと判定した場合、それ以降の処理を繰り返し実行し、一方、所定の時間経過した機器ＩＤがあると判定した場合、ステップＳ５２に進み、その機器ＩＤを消去する。
これにより、過去にパーソナルコンピュータ１に機器を近接させ、機器ＩＤを登録したユーザであっても、登録してからある程度の時間が経過した後には、パーソナルコンピュータ１に接続することができなくなる。従って、接続の許可に関して、時間的な制限をも設定することができる。
以上においては、パーソナルコンピュータ１にリーダ２を用意し、ＰＤＡ１１にＩＣタグ１２を用意するとしたが、逆に、パーソナルコンピュータ１にＩＣタグ（ＩＣタグ１４１（図１１参照））を用意し、ＰＤＡ１１にリーダ（リーダ１５１（図１２参照））を用意することによっても、様々な機器からの接続を制限することができる。
例えば、この場合、パーソナルコンピュータ１のＩＣタグ１４１には、他の機器により、パーソナルコンピュータ１にアクセスするとき利用される、パーソナルコンピュータ１のアドレスやＵＲＬ（Ｕｎｉｆｏｒｍ  Ｒｅｓｏｕｒｃｅ  Ｌｏｃａｔｏｒ）などの情報（通信情報）とパスワードが保存されており、ＰＤＡ１１のリーダ１５１は、パーソナルコンピュータ１に近接されたとき、それらの情報をＩＣタグ１４１から読み出す。
そして、パーソナルコンピュータ１に接続することが指示されたとき、ＰＤＡ１１は、リーダ１５１により読み出したアドレスを利用してパーソナルコンピュータ１にアクセスし、パスワードを送信する。
パーソナルコンピュータ１は、送信されてきたパスワードと、ＩＣタグ１４１から提供しているパスワードが同一か否かを判定し、同一であると判定したとき、ＰＤＡ１１からの接続を許可する。
これにより、上述した場合と同様に、パーソナルコンピュータ１（ＩＣタグ１４１）に自分自身の機器（リーダ１５１が内蔵されている機器）を近接させたユーザのみが、パーソナルコンピュータ１にアクセスすることができる。
図１１は、ＩＣタグ１４１が用意されているパーソナルコンピュータ１の構成例を示すブロック図である。
図１１に示されるＣＰＵ２１乃至半導体メモリ３４は、図２に示されているものと同一であるため、その詳細な説明は適宜省略する。
ＣＰＵ２１は、近接されたＰＤＡ１１に対してアドレスなどの情報とパスワードを提供できるように、ＩＣタグ１４１にそれらの情報を記憶させる。また、ＣＰＵ２１は、通信部２９を介して、ＰＤＡ１１から通知されてきたパスワードが正当なものであるか否かを判定できるように、ＩＣタグ１４１に記憶させているパスワードと同一のパスワードを、例えば、記憶部２８に記憶させる。
ＩＣタグ１４１は、ＰＤＡ１１のリーダ１５１が近接され、輻射されている電磁波を受信したとき、パーソナルコンピュータ１のアドレスなどの情報と、パスワードをリーダ１５１に提供する。なお、ＩＣタグ１４１は、図５に示されるＩＣタグ１２と同様に構成されており、アドレスなどの情報とパスワードは、フラッシュメモリに保存されている。
図１２は、リーダ１５１が内蔵されているＰＤＡ１１の構成例を示すブロック図である。
図１２に示されるＣＰＵ８１乃至通信部８９は、図４に示されているものと同一であるため、その詳細な説明は適宜省略する。
リーダ１５１は、パーソナルコンピュータ１に近接され、ＩＣタグ１４１を検出したとき、ＩＣタグ１４１に記憶されているアドレス等の情報とパスワードを読みだし、それをＣＰＵ８１に供給する。
次に、図１３のフローチャートを参照し、ＩＣタグ１４１から読み出した情報に基づいてパーソナルコンピュータ１に接続するＰＤＡ１１の処理について説明する。
ステップＳ６１において、ＣＰＵ８１は、リーダ１５１からの出力に基づいて、パーソナルコンピュータ１のＩＣタグ１４１からデータを読み出したか否かを判定し、読み出したと判定するまで待機する。
ＰＤＡ１１がパーソナルコンピュータ１に近接されたとき、リーダ１５１により、ＩＣタグ１４１に記憶されているデータが読み出され、それがＣＰＵ８１に供給される。
ＣＰＵ８１は、ステップＳ６１において、ＩＣタグ１４１からデータを読み出したと判定した場合、ステップＳ６２に進み、読み出したデータから、パーソナルコンピュータ１のアドレスとパスワードを抽出する。
抽出されたアドレスとパスワードは、ステップＳ６３において、例えば、ＲＡＭ８２や記憶部８８に保存される。
そして、ＣＰＵ８１は、ステップＳ６４において、パーソナルコンピュータ１に接続することがユーザから指示されたか否かを判定し、指示されたと判定するまで待機する。
ＣＰＵ８１は、ステップＳ６４において、パーソナルコンピュータ１に接続することが指示されたと判定した場合、ステップＳ６５に進み、通信部８９を制御し、リーダ１５１により読み出され、保存しておいたアドレス等の情報に基づいて、パーソナルコンピュータ１にアクセスする。
ステップＳ６６において、ＣＰＵ８１は、パーソナルコンピュータ１からパスワードの送信が要求されたか否かを判定し、要求されたと判定するまで待機する。
ＣＰＵ８１は、ステップＳ６６において、パスワードを送信することが要求されたと判定した場合、ステップＳ６７に進み、保存しておいたパスワードを通信部８９からパーソナルコンピュータ１に送信する。
ステップＳ６８において、ＣＰＵ８１は、パーソナルコンピュータ１により、接続が許可されたか否かを判定し、許可されなかったと判定した場合、ステップＳ６１に戻り、それ以降の処理を繰り返し実行する。
後述するように、パーソナルコンピュータ１においては、ＰＤＡ１１から送信されてきたパスワードと、パーソナルコンピュータ１により管理されているパスワードが同一であるか否かが判定され、同一であると判定されたときにのみ、接続が許可される。
一方、ＣＰＵ８１は、ステップＳ６８において、接続が許可されたと判定した場合、ステップＳ６９に進み、接続を確立し、通信部８９を介して各種の情報を送受信する。
次に、図１４のフローチャートを参照して、図１３の処理に対応して実行されるパーソナルコンピュータ１の処理について説明する。
ステップＳ８１において、ＩＣタグ１４１のＣＰＵは、ＰＤＡ１１のリーダ１５１が近接されたか否かを判定し、近接されたと判定するまで待機する。
ＩＣタグ１４１のＣＰＵは、ステップＳ８１において、ＰＤＡ１１のリーダ１５１が近接されたと判定した場合、ステップＳ８２に進み、フラッシュメモリに保存されているアドレス等の情報と、パスワードをＰＤＡ１１（リーダ１５１）に提供する。
そして、ステップＳ８３において、ＣＰＵ２１は、通信部２９からの出力に基づいて、ＰＤＡ１１から接続が要求されたか否かを判定し、接続が要求されたと判定するまで待機する。
ステップＳ８３において、ＣＰＵ２１は、ＰＤＡ１１から接続が要求されたと判定した場合、ステップＳ８４に進み、ＰＤＡ１１に対してパスワードの送信を要求する。
ＣＰＵ２１は、ステップＳ８５において、パスワードが送信されてきたか否かを判定し、送信されてきたと判定するまで待機する。図１３のフローチャートを参照して説明したように、この要求に応じて、ＩＣタグ１４１から提供しているパスワードがＰＤＡ１１から送信されてくる。
ステップＳ８５において、ＣＰＵ２１は、パスワードが送信されてきたと判定した場合、ステップＳ８６に進み、送信されてきたパスワードと、記憶部２８等に保存しているパスワード（ＩＣタグ１４１から提供されるものと同一のパスワード）が同一であるか否か、すなわち、パスワードが正当であるか否かを判定する。ＣＰＵ２１は、ステップＳ８６において、パスワードが正当でないと判定した場合、ステップＳ８７に進み、ＰＤＡ１１に対して接続を許可できないことを通知する。その後、処理はステップＳ８１に戻り、それ以降の処理が繰り返し実行される。
一方、ステップＳ８６において、ＣＰＵ２１は、パスワードが正当であると判定した場合、ステップＳ８８に進み、接続を許可することをＰＤＡ１１に通知する。
その後、ステップＳ８９において、接続が確立され、通信部２９を介して各種の情報が送受信される。
以上のように、例えば、パーソナルコンピュータ１にＩＣタグ１４１を用意し、ＰＤＡ１１にリーダ１５１を用意することによっても、パーソナルコンピュータ１に機器を近接させたユーザ以外の接続を制限することができる。
また、パスワードに基づいて、パーソナルコンピュータ１に機器を近接させたユーザからの接続要求であるか否かを判断させるようにしたので、パーソナルコンピュータ１に機器を近接させていないユーザがパーソナルコンピュータ１のアドレス等を取得した場合であっても、それのみに基づいては、パーソナルコンピュータ１に接続できないことになる。
次に、図１５のフローチャートを参照して、ＩＣタグ１４１に記憶されているパスワードを管理するパーソナルコンピュータ１の処理について説明する。
ステップＳ１０１において、ＣＰＵ２１は、所定の時間が経過したか否かを判定し、経過したと判定するまで待機する。ＣＰＵ２１は、ステップＳ１０１において、所定の時間が経過したと判定した場合、ステップＳ１０２に進み、ＩＣタグ１４１のフラッシュメモリに記憶されているパスワードを変更させる。
そして、その後、処理はステップＳ１０１に戻り、それ以降の処理が繰り返し実行される。
これにより、図１０を参照して説明した処理と同様に、過去にパーソナルコンピュータ１に自分自身の機器を近接させ、パスワード等を取得したユーザであっても、登録してからある程度の時間が経過した後には、パーソナルコンピュータ１に接続することができなくなる。
上述した例においては、パーソナルコンピュータ１とＰＤＡ１１には、リーダ、またはＩＣタグのいずれかが用意されるとしたが、双方を用意させることにより、各種の機器からの接続を、より確実に制限することができる。
図１６は、図１に示されるパーソナルコンピュータ１とＰＤＡ１１を模式的に表わしており、双方の機器にＩＣタグとリーダが用意される場合において、電磁波を介して送受信される情報の例を示している。
パーソナルコンピュータ１とＰＤＡ１１が近接されたとき、図１６に示されるように、ＰＤＡ１１のＩＣタグ１２からパーソナルコンピュータ１のリーダ２に対して、ＰＤＡ１１の機器ＩＤが送信される（リーダ２により読み出される）。
また、パーソナルコンピュータ１のＩＣタグ１４１からは、ＰＤＡ１１のリーダ１５１に対して、接続するために必要となるアドレス等の情報、およびパスワードが送信される（リーダ１５１により読み出される）。
これらの情報に基づいて、パーソナルコンピュータ１に対する接続が制限される。
具体的には、パーソナルコンピュータ１により取得された機器ＩＤは、上述したような接続許可リストに登録され、実際に接続が要求されたときにＰＤＡ１１から送信されてくる機器ＩＤが接続許可リストに登録されているか否かが判断される。一方、ＰＤＡ１１により取得されたアドレスは、ＰＤＡ１１がパーソナルコンピュータ１にアクセスするために利用され、パスワードは、パーソナルコンピュータ１に送信され、パーソナルコンピュータ１において管理されているパスワードと同一であるか否かが判断される。
そして、接続許可リストに登録されている機器ＩＤを有している機器であり、かつ、パーソナルコンピュータ１から提供されているパスワードと同一のパスワードを送信してきた機器にのみ、パーソナルコンピュータ１に対する接続が許可される。
図１７は、リーダ２とＩＣタグ１４１が設けられているパーソナルコンピュータ１の構成例を示すブロック図である。
図１７に示される構成は、図２、および図１１に示される構成を組み合わせたものである。
すなわち、リーダ２により読み出されたＰＤＡ１１の機器ＩＤは、例えば、記憶部２８に転送され、接続許可リストに登録される。
ＩＣタグ１４１には、他の機器がパーソナルコンピュータ１に接続するために必要なアドレス等の情報（通信情報）、およびパスワードが記憶されており、それらの情報は、ＰＤＡ１１のリーダ１５１により読み出される。
また、ＩＣタグ１４１に記憶されているパスワードと同一のパスワードが記憶部２８等に保存されており、そのパスワードは、通信部２９により受信されたパスワードとの同一性を判断するために使用される。
図１８は、ＩＣタグ１２とリーダ１５１が設けられているＰＤＡ１１の構成例を示すブロック図である。
図１８に示される構成は、図４、および図１２に示される構成を組み合わせたものである。
すなわち、ＩＣタグ１２には、ＰＤＡ１１の機器ＩＤが記憶されており、パーソナルコンピュータ１のリーダ２により読み出される。また、記憶部８８等にもＩＣタグ１２に記憶されている機器ＩＤと同一のＩＤが用意されており、それは、通信部８９からパーソナルコンピュータ１に送信される。
リーダ１５１は、パーソナルコンピュータ１のＩＣタグ１４１からアドレスとパスワードを読み出し、それをＣＰＵ８１に供給する。パスワードは、通信部８９からパーソナルコンピュータ１に送信され、認証のために利用される。
次に、図１９のフローチャートを参照して、パーソナルコンピュータ１に接続するＰＤＡ１１の処理について説明する。
この処理は、基本的に、図７、図８、および図１３を参照して説明した処理をそれぞれ組み合わせたものである。
すなわち、ステップＳ１１１乃至ステップＳ１１３の処理は、図１３のステップＳ６１乃至ステップＳ６３の処理と同様の処理である。
ステップＳ１１１において、ＣＰＵ８１は、リーダ１５１からの出力に基づいて、パーソナルコンピュータ１のＩＣタグ１４１からデータを読み出したか否かを判定し、データを読み出したと判定した場合、ステップＳ１１２に進む。ＣＰＵ８１は、ステップＳ１１２において、リーダ１５１により読み出されたデータから、パーソナルコンピュータ１のアドレスとパスワードを抽出する。
抽出したアドレスとパスワードは、ステップＳ１１３において、例えば、ＲＡＭ８２や記憶部８８に保存される。
ステップＳ１１４において、ＣＰＵ８１は、図７のステップＳ１２と同様に、ＩＣタグ１２に記憶されている機器ＩＤをパーソナルコンピュータ１のリーダ２に提供する。すなわち、リーダ２により、機器ＩＤが読み出される。
ステップＳ１１５において、ＣＰＵ８１は、パーソナルコンピュータ１に接続することが指示されたか否かを判定し、指示されたと判定するまで待機する。
ＣＰＵ８１は、ステップＳ１１５において、パーソナルコンピュータ１に接続することが指示されたと判定した場合、ステップＳ１１６に進み、保存しておいたアドレス等の情報に基づいてパーソナルコンピュータ１にアクセスするとともに、機器ＩＤを通信部８９から送信する。
送信された機器ＩＤは、パーソナルコンピュータ１において、接続許可リストに登録されているか否かが判定され、その結果が通知されてくる。
ステップＳ１１７において、ＣＰＵ８１は、送信した機器ＩＤが接続許可リストに登録されていると判定されたことがパーソナルコンピュータ１から通知されてきたか否かを判定し、通知されてきていない（登録されていないと判定されたことが通知されてきた）と判定した場合、ステップＳ１１１に戻り、それ以降の処理を繰り返し実行する。
一方、ステップＳ１１７において、ＣＰＵ８１は、機器ＩＤが接続許可リストに登録されていると判定されたことがパーソナルコンピュータ１から通知されてきたと判定した場合、ステップＳ１１８に進む。
ステップＳ１１８乃至ステップＳ１２１の処理は、図１３のステップＳ６６乃至ステップＳ６９の処理と同様の処理である。
ＣＰＵ８１は、ステップＳ１１８において、パーソナルコンピュータ１からパスワードの送信が要求されたか否かを判定し、要求されたと判定するまで待機する。
ＣＰＵ８１は、ステップＳ１１８において、パスワードを送信することが要求されたと判定した場合、ステップＳ１１９に進み、保存しておいたパスワードを通信部８９からパーソナルコンピュータ１に送信する。
ステップＳ１２０において、ＣＰＵ８１は、パーソナルコンピュータ１により、接続が許可されたか否かを判定し、許可されなかったと判定した場合、ステップＳ１１１に戻り、それ以降の処理を繰り返し実行し、一方、接続が許可されたと判定した場合、ステップＳ１２１に進み、接続を確立し、通信部８９を介して、各種の情報を送受信する。
次に、図２０のフローチャートを参照して、図１９の処理に対応して実行されるパーソナルコンピュータ１の処理について説明する。
図２０に示される処理は、基本的に、図６、図９、および図１４を参照して説明した処理をそれぞれ組み合わせたものである。
ステップＳ１３１において、ＩＣタグ１４１のＣＰＵは、ＰＤＡ１１のリーダ１５１が近接されたか否かを判定し、近接されたと判定した場合、ステップＳ１３２に進み、フラッシュメモリに保存されているアドレス等の情報と、パスワードをＰＤＡ１１（リーダ１５１）に提供する。
そして、ステップＳ１３３において、ＣＰＵ２１は、リーダ２を制御し、ＰＤＡ１１のＩＣタグ１２に記憶されている機器ＩＤを読み出し、ステップＳ１３４に進み、機器ＩＤを接続許可リストに登録する。
ステップＳ１３５において、ＣＰＵ２１は、ＰＤＡ１１から接続が要求されたか否かを判定し、要求されたと判定した場合、ステップＳ１３６に進み、ＰＤＡ１１から送信されてくる機器ＩＤを取得する。
ＣＰＵ２１は、ステップＳ１３７において、接続許可リストを参照し、送信されてきた機器ＩＤが接続許可リストに登録されているか否か、すなわち、接続を許可するか否かを判定する。
ＣＰＵ２１は、ステップＳ１３７において、送信されてきた機器ＩＤが接続許可リストに登録されていないと判定した場合、ステップＳ１３８に進み、機器ＩＤを送信してきた機器に対して、接続を許可できないことを通知する。その後、処理はステップＳ１３１に戻り、それ以降の処理が繰り返し実行される。
一方、ステップＳ１３７において、ＣＰＵ２１は、送信されてきた機器ＩＤが接続許可リストに登録されていると判定した場合、ステップＳ１３９に進み、機器ＩＤが接続許可リストに登録されていることをＰＤＡ１１に通知する。
ステップＳ１４０乃至ステップＳ１４４の処理は、図１４のステップＳ８４乃至ステップＳ８６、ステップＳ８８、およびステップＳ８９の処理と同様の処理である。
すなわち、ステップＳ１４０において、ＣＰＵ２１は、ＰＤＡ１１に対してパスワードの送信を要求する。
ＣＰＵ２１は、ステップＳ１４１において、パスワードが送信されてきたか否かを判定し、送信されてきたと判定した場合、ステップＳ１４２に進む。
ステップＳ１４２において、ＣＰＵ２１は、ＩＣタグ１４１から提供しているパスワードを参照し、送信されてきたパスワードが正当であるか否かを判定し、正当でないと判定した場合、ステップＳ１３８に進み、ＰＤＡ１１に対して、接続を許可できないことを通知する。
一方、ステップＳ１４２において、ＣＰＵ２１は、パスワードが正当であると判定した場合、ステップＳ１４３に進み、接続を許可することをＰＤＡ１１に通知する。
その後、ステップＳ１４４において、パーソナルコンピュータ１とＰＤＡ１１の間で接続が確立され、各種の情報が送受信される。
以上のように、パーソナルコンピュータ１とＰＤＡ１１の双方にＩＣタグとリーダを用意させることによっても、パーソナルコンピュータ１に、機器を近接させたユーザ以外からの接続を制限することができ、かつ、その認証（接続を許可するか否かの判断）は、より複雑なものとなるため、不正な接続を確実に防止することができる。
以上においては、主に、ＰＤＡ１１から接続を要求し、パーソナルコンピュータ１がＰＤＡ１１の認証を行う場合について説明したが、当然、反対にパーソナルコンピュータ１からＰＤＡ１１に接続を要求するようにしてもよい。また、この場合、単に、上述したようなパーソナルコンピュータ１の処理をＰＤＡ１１が実行し、パーソナルコンピュータ１の認証を行うだけでなく、パーソナルコンピュータ１とＰＤＡ１１の双方において、相手の認証が行われ、接続を許可するか否かが判断されるようにしてもよい。
次に、図２１、および図２２のフローチャートを参照して、パーソナルコンピュータ１とＰＤＡ１１の双方にリーダとＩＣタグが設けられており、いずれの機器からでも接続を要求できる場合の処理について説明する。なお、図２１、および図２２においては、パーソナルコンピュータ１の処理について示されているが、ＰＤＡ１１においても同様の処理が行われる。
ＣＰＵ２１は、ステップＳ１５１において、リーダ２からの出力に基づいて、ＰＤＡ１１のＩＣタグ１２から、データを読み出したか否かを判定し、読み出したと判定するまで待機する。ＣＰＵ２１は、ＰＤＡ１１が近接され、ステップＳ１５１において、リーダ２によりデータが読み出されたと判定した場合、ステップＳ１５２に進み、ＰＤＡ１１のＩＣタグ１２に記憶されているＰＤＡ１１の機器ＩＤとアドレスとパスワードを抽出する。
ステップＳ１５３において、ＣＰＵ２１は、ＩＣタグ１４１に記憶されている自分自身（パーソナルコンピュータ１）の機器ＩＤとアドレスとパスワードをＰＤＡ１１に提供する。すなわち、ＰＤＡ１１のリーダ１５１により、ＩＣタグ１４１に記憶されているデータが読み出される。
ＣＰＵ２１は、ステップＳ１５４において、自分自身の機器ＩＤと、ＩＣタグ１２から読み出したＰＤＡ１１の機器ＩＤとを比較し、機器ＩＤが所定の桁数の数字からなる場合、自分自身の機器ＩＤの方が大きいか否かを判定する。
図２１、および図２２の処理においては、機器ＩＤは、パーソナルコンピュータ１とＰＤＡ１１のうち、いずれの機器から接続の要求を行うかを判断するために利用され、より大きい機器ＩＤが設定されている機器から、相手の機器に対して接続を要求するようになされている。
すなわち、ＣＰＵ２１は、ステップＳ１５４において、自分自身の機器ＩＤの方が大きいと判定した場合、ステップＳ１５５に進み、ユーザから、ＰＤＡ１１に接続することが指示されたか否かを判定する。
ＣＰＵ２１は、ステップＳ１５５において、接続が指示されたと判定した場合、ステップＳ１５６に進み、ＰＤＡ１１のＩＣタグ１２から取得したアドレスに基づいてＰＤＡ１１にアクセスし、接続を要求する。
そして、ステップＳ１５７において、ＣＰＵ２１は、ＰＤＡ１１から、取得したパスワード、すなわち、ＰＤＡ１１から提供されているパスワードを送信することが要求されたか否かを判定し、要求されたと判定するまで待機する。
ＣＰＵ２１は、ステップＳ１５７において、パスワードを送信することが要求されたと判定した場合、ステップＳ１５８に進み、ＰＤＡ１１のＩＣタグ１２から取得したパスワードを通信部２９から送信する。ＰＤＡ１１においては、送信されてきたパスワードに基づいて認証（送信されてきたパスワードと、ＰＤＡ１１が提供するパスワードが同一であるか否かの判断）が行われ、その結果が通知される。
ステップＳ１５９において、ＣＰＵ２１は、パスワードが認証されたか否か（認証できたことの通知が通信部２９において受信されたか否か）を判定し、認証されなかったと判定した場合、ＰＤＡ１１により接続が拒否されたため、ステップＳ１５１に戻り、それ以降の処理を繰り返し実行する。
一方、ステップＳ１５９において、ＣＰＵ２１は、パスワードが認証されたと判定した場合、ステップＳ１６０に進み、逆に、ＩＣタグ１４１から読み出したパスワードを送信することをＰＤＡ１１に対して要求する。
ステップＳ１６１において、ＣＰＵ２１は、ＰＤＡ１１からパスワードが送信されてきたか否かを判定し、送信されてきたと判定するまで待機する。
ＣＰＵ２１は、ステップＳ１６１において、パスワードが送信されてきたと判定した場合、ステップＳ１６２に進み、送信されてきたパスワードは正当か否かを判定する。具体的には、ＣＰＵ２１は、通信部２９において受信されたパスワードと、ＩＣタグ１４１から提供しているパスワードが同一か否かを判定する。
ステップＳ１６２において、ＣＰＵ２１は、ＰＤＡ１１から送信されてきたパスワードが正当でないと判定した場合、ステップＳ１６３に進み、認証が失敗したことを通知し、ＰＤＡ１１に対する接続を中止する。その後、処理はステップＳ１５１に戻り、それ以降の処理が繰り返し実行される。
ＣＰＵ２１は、ステップＳ１６２において、パスワードが正当であると判定した場合、ステップＳ１６４に進み、認証が成功したことを通知し、ステップＳ１６５で、ＰＤＡ１１との接続を確立する。その後、パーソナルコンピュータ１とＰＤＡ１１との間で所定の情報が送受信される。
一方、ステップＳ１５４において、ＣＰＵ２１は、自分自身の機器ＩＤが、ＰＤＡ１１のＩＣタグ１２から読み出した機器ＩＤよりも大きくない（小さい）と判定した場合、ステップＳ１６６に進む。
この場合、ＰＤＡ１１からパーソナルコンピュータ１に対して、接続を要求することとなり、ステップＳ１６６において、ＣＰＵ２１は、ＰＤＡ１１から接続が要求されたか否かを判定し、接続が要求されたと判定するまで待機する。
ＣＰＵ２１は、ステップＳ１６６において、ＰＤＡ１１から接続が要求されたと判定した場合、ステップＳ１６７に進み、ＰＤＡ１１に対して、ＩＣタグ１４１から読み出したパスワード（パーソナルコンピュータ１から提供されているパスワード）の送信を要求する。
ステップＳ１６８において、ＣＰＵ２１は、ＰＤＡ１１からパスワードが送信されてきたか否かを判定し、送信されてくるまで待機する。ＣＰＵ２１は、ステップＳ１６８において、パスワードが送信されてきたと判定した場合、ステップＳ１６９に進み、ＰＤＡ１１から送信されてきたパスワードと、ＩＣタグ１４１から提供しているパスワードを確認し、送信されてきたパスワードが正当であるか否か（双方のパスワードが同一であるか否か）を判定する。
ステップＳ１６９において、ＣＰＵ２１は、パスワードが正当でないと判定した場合、ステップＳ１７０に進み、認証が失敗したことをＰＤＡ１１に通知する。その後、処理はステップＳ１５１に戻り、それ以降の処理が繰り返し実行される。
一方、ＣＰＵ２１は、パスワードが正当であると判定した場合、ステップＳ１７１において、認証が成功したことをＰＤＡ１１に対して通知し、ステップＳ１７２に進み、ＰＤＡ１１のＩＣタグ１２から読み出したパスワードを通信部２９から送信する。
ＰＤＡ１１においては、送信したパスワードに基づいて認証が行われ、その結果が通知されてくる。
ステップＳ１７３において、ＣＰＵ２１は、ＰＤＡ１１により、パスワードが認証されたか否かを判定し、認証されなかったと判定した場合、ステップＳ１５１に戻り、それ以降の処理を繰り返し実行する。
ＣＰＵ２１は、ステップＳ１７３において、パスワードが認証されたと判定した場合、ステップＳ１７４に進み、ＰＤＡ１１との間で接続を確立し、各種の情報を送受信する。
以上のように、機器ＩＤに基づいて、接続の要求を開始する機器を決定することにより、接続の要求が競合してしまうことを抑制することができる。
当然、パーソナルコンピュータ１とＰＤＡ１１に、リーダとＩＣタグの両方が用意されている場合であっても、双方の機器において、図１０を参照して説明したような機器ＩＤの管理、および、図１５を参照して説明したようなパスワードの変更などを実行させることもできる。
以上においては、パーソナルコンピュータ１のリーダ２（タグ１４１）と、ＰＤＡ１１のＩＣタグ１２（リーダ１５１）により、機器ＩＤ、アドレス、およびパスワードなどの情報が電磁波を介して送受信されるとしたが、双方の機器が近接されて行われるものであれば、例えば、ＩｒＤＡなどの様々な通信方法を利用することもできる。
また、以上においては、タグとリーダがそれぞれ別々のモジュールにより構成されるとしたが、１つのモジュールに構成されるようにしてもよい。
以上においては、ブルートゥースによる通信の確立は、例えば、パーソナルコンピュータ１に設けられているリーダ２と、ＰＤＡ１１に設けられているＩＣタグ１２との間で送受信される機器ＩＤ等の情報に基づいて行われるとしたが、パーソナルコンピュータ１およびＰＤＡ１１に、このように電磁誘導を利用して近距離無線通信を行うモジュールが設けられていない場合であっても、通信部（例えば、ＰＤＡ１１の通信部８９）の電波の出力電力を制御することにより、近接された機器間でのみ通信を開始させることができる。
以下、無線通信部から出力される電波の出力電力を制御することにより、通信相手の端末を特定し、近接された機器間で通信を開始させる通信システムについて説明する。
図２３は、その通信システムの構成例を示す図である。
例えば、ブルートゥースによる通信相手を特定し、その相手との間で通信を確立する場合、ＰＤＡ１１は、始めに、通信部８９（例えば、ブルートゥースモジュール）の出力電力を抑制し、輻射される電波が、例えば、数センチメートルの範囲内にのみ到達するように制御する。
このように、電波の出力電力が抑制される微弱電力モードが設定されている状態において、通信部８９は、「Ｉｎｑｕｉｒｙ（問い合わせ）」を繰り返し行い、その電波の届く範囲（例えば、数センチメートル範囲内）に存在する端末を探索する。
そして、ユーザによりＰＤＡ１１がパーソナルコンピュータ１に近接または載置され、通信部８９により輻射される電波がパーソナルコンピュータ１の通信部２９（通信部８９と同一規格により通信を行うモジュール）により受信された場合、通信部２９からは、Ｉｎｑｕｉｒｙに対する応答が行われるため、通信部８９は、通信部２９との間で、Ｉｎｑｕｉｒｙ，Ｐａｇｅ（呼び出し）を行い、通信リンクを確立する。ここで確立される通信リンクは、微弱電力モードが設定されている通信部８９からの電波が届く、非常に狭い範囲内で有効なものである。
従って、通信部８９は、ある程度離れている場合であっても通信部２９との通信が可能となるように、一旦、通信リンクを切断し、通信部８９自身の電力モードの設定を、微弱電力モードから通常電力モードに変更した後、既に取得している情報（近距離でのＩｎｑｕｉｒｙ，Ｐａｇｅにより取得している情報）に基づいて、再度、通信部２９との間で通信リンクを確立する。
再度確立された通信リンクは、通常のブルートゥースによる通信と同様に、例えば、数十メートルなどの電波の届く範囲内で有効なものとなり、パーソナルコンピュータ１とＰＤＡ１１の距離が十分離れている場合であっても、ブルートゥースによる通信が可能となる。
以上のように、パーソナルコンピュータ１とＰＤＡ１１に電磁誘導を利用した無線モジュールが設けられていない場合であっても、通信部の出力電力を制御させるようにすることにより、ユーザは、ＰＤＡ１１をパーソナルコンピュータ１に近接させるだけで、それらの端末の間でブルートゥースによる通信を確立させ、機器ＩＤ、アドレス、パスワードなどの各種の情報を送受信させることができる。
すなわち、この場合、微弱電力モードが設定されているＰＤＡ１１がパーソナルコンピュータ１に近接されたとき、微弱電力モードによるブルートゥース通信が確立され、その通信により、例えば、ＰＤＡ１１（通信部８９）からパーソナルコンピュータ１（通信部２９）に対して機器ＩＤが送信され、登録される。
その後、ユーザからパーソナルコンピュータ１に接続することが指示されたとき、ＰＤＡ１１の通信部８９には、電力モードとして通常電力モードが設定され、パーソナルコンピュータ１との間で機器ＩＤによる認証が行われた後、通常電力モードによるブルートゥース通信が確立される。
これにより、ブルートゥースによる通信が可能な機器がパーソナルコンピュータ１の周囲に複数存在する場合であっても、自分自身の機器を使用してパーソナルコンピュータ１に接続することができるユーザは、例えば、自分自身の機器を近接させ、微弱電力モードによる通信により、機器ＩＤをパーソナルコンピュータ１に登録したユーザのみとなる。
上述したように、認証においてパスワード等の情報が用いられる場合、微弱電力モードによる通信が確立されたときにパーソナルコンピュータ１とＰＤＡ１１の間でアドレスやパスワードが送受信される。その後、パスワードに基づく認証が行われ、認証が成立したとき、通常電力モードによる通信が開始される。
また、微弱電力モードによる通信が確立したとき、通信を開始する機器の外観画像、或いは、転送されるデータを表すイメージ画像が送受信され、それぞれの機器に表示されることにより、ユーザは、通信が確立された機器の間で行われる処理（例えば、通常電力モードによる通信が確立されたときに行われる処理）を予め確認することができる。
なお、通信部８９の電力モードをシームレスに切り換えることができる場合、微弱電力モードが設定されているときに確立された通信リンクを一旦切断することなく、電力モードの設定を微弱電力モードから通常電力モードに切り換えるようにしてもよい。
図２４は、図２３の通信部８９の詳細な構成例を示すブロック図である。
通信部８９は、ブルートゥースモジュールや無線ＬＡＮモジュールなどより構成される。
無線制御部２０１は、切り換えスイッチ２０４を制御し、通信部８９から外部の端末に対して情報を送信する場合には、スイッチ２０４Ａを接点ａ側に接続し、一方、外部の端末から送信されてくる情報を受信する場合には、スイッチ２０４Ａを接点ｂ側に接続する。
また、無線制御部２０１は、入出力インタフェース８５（図４）を介して行われるＣＰＵ８１からの制御に基づいて、パワーアンプ２０５の利得を制御し、アンテナ２０７から輻射される電波の到達範囲（出力電力）を制御する。
具体的には、無線制御部２０１は、微弱電力モードを設定することがＣＰＵ８１により指示されている場合、アンテナ２０７から輻射される電波の到達範囲が狭くなるようにパワーアンプ２０５の利得を制御し、一方、通信相手の端末を特定でき、微弱電力モードから通常電力モードに切り換えることが指示された場合、出力される電波の到達範囲がより広範囲なものになるようにパワーアンプ２０５の利得を制御する。
ベースバンド制御部２０２は、送受信信号のベースバンド信号を制御する。変復調処理部２０３は、ベースバンド制御部２０２からの出力に対して、ＧＦＳＫ変調処理やホッピング周波数に基づくスペクトラム拡散処理などを行い、得られた信号を、パワーアンプ２０５を介してアンテナ２０７から出力する。また、変復調処理部２０３は、ＬＮＡ（Ｌｏｗ  Ｎｏｉｓｅ  Ａｍｐｌｉｆｉｅｒ）２０６からの出力に対して、スペクトラム逆拡散処理やＧＦＳＫ復調処理を行い、得られた信号をベースバンド制御部２０２に出力する。
パーソナルコンピュータ１に設けられる通信部２９の構成は、図２４に示される通信部８９の構成と同様であるため、その説明は省略する。
なお、上述したように、図２３に示される通信システムにおいては、パーソナルコンピュータ１およびＰＤＡ１１にリーダやＩＣタグ等は設けられていない。
次に、図２５のフローチャートを参照して、図２３の通信システムの動作について説明する。図２５においては、機器ＩＤに基づいてブルートゥースによる通信を確立する、図６乃至図９に対応する処理について説明する。
例えば、ユーザによりブルートゥースによる通信を開始することが指示されたとき、ＰＤＡ１１の通信部８９は、ＣＰＵ８１からの制御に基づいて起動し、ステップＳ２０１において、自分自身の電力モードとして微弱電力モードを設定する。また、通信部８９は、ステップＳ２０２に進み、Ｉｎｑｕｉｒｙを繰り返し実行し、近接されている端末を探索する。
ステップＳ２０２で実行されるＩｎｑｕｉｒｙにおいては、微弱電力モードが設定され、電波の到達範囲が抑制されているため、例えば、アンテナ２０７から数センチメートルの範囲内にＩＱパケット（Ｉｎｑｕｉｒｙパケット）が繰り返しブロードキャストされる。
一方、パーソナルコンピュータ１の通信部２９は、ステップＳ２２１において、Ｉｎｑｕｉｒｙスキャン、Ｐａｇｅスキャンを繰り返し実行する状態とし、他の端末から、Ｉｎｑｕｉｒｙ，Ｐａｇｅの要求があるまで待機する。
ユーザにより、ＰＤＡ１１がパーソナルコンピュータ１に近接され、パーソナルコンピュータ１の通信部２９がＰＤＡ１１の通信部８９からの電波の到達範囲内にあるとき、通信部８９からブロードキャストされているＩＱパケットがステップＳ２２２において通信部２９により受信される。
通信部２９は、通信部８９からブロードキャストされているＩＱパケットを受信したとき、それに応答すべく、ステップＳ２２３に進み、ＦＨＳパケットを通信部８９に送信する。このＦＨＳパケットには、パーソナルコンピュータ１（ブルートゥースのスレーブ）の属性情報として、パーソナルコンピュータ１のブルートゥースアドレスとブルートゥースクロックを表す情報が含まれている。
通信部２９から送信されてきたＦＨＳパケットをステップＳ２０３において受信したとき、ステップＳ２０４に進み、通信部８９は、通信部２９に対して接続を要求する。
すなわち、通信部８９から通信部２９に対してＩＤパケットが送信され、そのＩＤパケットと同一のＩＤパケットが通信部２９から通信部８９に対して送り返されてきたとき、通信部８９のブルートゥースアドレスおよびブルートゥースクロックを含む、ＦＨＳパケットが通信部８９から通信部２９に対して送信される。
通信部８９から送信されたＦＨＳパケットが通信部２９によりステップＳ２２４において受信されたとき、通信部８９と通信部２９の間で周波数軸（周波数ホッピングパターン）および時間軸（タイムスロット）の同期が確立され、データリンク（通信リンク）が確立された状態となる（Ｓｔａｔｅ１）。
例えば、通信部２９と通信部８９との間で、初めてブルートゥースによるデータリンクが確立された場合、ステップＳ２０５において、通信部８９は、ＰＩＮ（Ｐｅｒｓｏｎａｌ  Ｉｄｅｎｔｉｆｉｃａｔｉｏｎ  Ｎｕｍｂｅｒ）コードを通信部２９に対して送信し、相互に認証を行う。
通信部８９から送信されてきたＰＩＮコードは、ステップＳ２２５において、通信部２９により受信され、その後、ＰＩＮコードと乱数などに基づいて、通信部２９との間で、各種のリンクキーが設定される。
なお、ＰＩＮコードの送受信は、通信部２９から通信部８９に対して提供された公開鍵により暗号化されてから行われるようにしてもよい。すなわち、この場合、通信部２９は、通信部８９に提供する公開鍵に対応する秘密鍵を自ら管理している。これにより、セキュリティを向上させることができ、より確実に、パーソナルコンピュータ１とＰＤＡ１１の間でのみブルートゥースによる通信を実行させることができる。
ステップＳ２０６において、通信部８９は、ＰＤＡ１１に設定されている機器ＩＤを通信部２９に対して送信する。
通信部８９から送信された機器ＩＤは、ステップＳ２２６において送信部２９により受信され、ステップＳ２２７に進み、パーソナルコンピュータ１により管理される接続許可リストに登録される。
パーソナルコンピュータ１に登録された機器ＩＤは、通常電力モードによる通信を開始するときに行われる認証において用いられる。
以上のようにして確立された通信リンクは、微弱電力モードが設定されている通信部８９からの電波が届く、数センチメートルの範囲内で有効なものであるため、通信部８９は、ある程度離れている場合であっても通信部２９との通信が可能となるように、ステップＳ２０６において、通信部２９に対してデータリンクの一時的な切断を要求する。このとき、通信部２９のブルートゥースアドレスやＰＩＮコード等の、それまでの処理により取得された情報は通信部８９に保存される。
その要求をステップＳ２２８において受信した通信部２９は、通信部８９と同様に、それまでに取得された通信部８９のブルートゥースアドレスやＰＩＮコード等の情報を保存し、データリンクを切断する（Ｓｔａｔｅ２）。
パーソナルコンピュータ１に再度アクセスすることが指示されたとき、ステップＳ２０８において、通信部８９は、ＣＰＵ１０１からの制御に基づいて、出力電力のモードを通常電力モードに設定する。これにより、例えば、数十メートルの範囲まで、通信部８９からのブルートゥースの電波が到達することになる。
また、通信部８９は、ステップＳ２０９に進み、データリンクを切断する直前に保存していた情報に基づいて、パーソナルコンピュータ１を通信相手の端末として特定し、通信部２９に対して機器ＩＤを送信し、接続を要求する。
この要求がステップＳ２２９において通信部２９により受信されたとき、ステップＳ２３０に進み、ＣＰＵ２１は、通信部８９（ＰＤＡ１１）から送信されてきた機器ＩＤが接続許可リストに登録されているものであるか否かを判定し、登録されているものであると判定した場合、接続を許可する。
すなわち、微弱電力モードによる通信において送受信され、保存されていた情報に基づいて、お互いの端末において設定が行われることにより、通信部８９と通信部２９の間でデータリンクが確立した状態、すなわち、通常電力モードが設定されている通信部８９からの電波が届く、例えば、数十メートルの範囲内でブルートゥースによる通信が可能な状態となる（Ｓｔａｔｅ３）。
以上のように、パーソナルコンピュータ１とＰＤＡ１１にリーダやＩＣタグが設けられていない場合であっても、ユーザは、単に、ＰＤＡ１１をパーソナルコンピュータ１に近づけるだけで、ＰＤＡ１１に設定されている機器ＩＤをパーソナルコンピュータ１に登録することができ、その後、通常電力モードによる通信をパーソナルコンピュータ１との間で開始させることができる。
以上においては、微弱電力モードによる通信が確立したとき、ＰＤＡ１１からパーソナルコンピュータ１に対して機器ＩＤが送信されるとしたが、図１６に示されるように、必要に応じて、パーソナルコンピュータ１からＰＤＡ１１に対してアドレスやパスワードなどの情報が送信され、送信された情報に基づいてアクセスが制御される。
次に、図２６のフローチャートを参照して、微弱電力モードによる通信が確立されたときに、上述した機器ＩＤなどの情報だけでなく、接続する機器を表す外観画像が送受信され、その画像がユーザに提示される処理について説明する。
この例においては、微弱電力モードによる通信が確立されたとき、パーソナルコンピュータ１からＰＤＡ１１に対して、予め用意されているパーソナルコンピュータ１の外観画像が送信されるようになされている。
ＰＤＡ１１によるステップＳ２４１乃至Ｓ２４６の処理、および、パーソナルコンピュータ１によるステップＳ２６１乃至Ｓ２６７の処理は、図２５のステップＳ２０１乃至Ｓ２０６の処理、および、ステップＳ２２１乃至Ｓ２２７の処理とそれぞれ同様である。
すなわち、微弱電力モードにより、例えば、数センチメートルの範囲内でのみ通信が可能なデータリンクが確立され、ＰＤＡ１１の通信部８９から送信された機器ＩＤがパーソナルコンピュータ１の通信部２９により受信される。
通信部２９は、ＰＩＮコードを受信したとき、ステップＳ２６８において、予め用意されているパーソナルコンピュータ１の外観画像を通信部８９に送信する。
通信部２９から送信された外観画像は、ステップＳ２４７において、通信部８９により受信され、ＰＤＡ１１の記憶部８８等に保存される。
通信部８９は、ステップＳ２４８において、微弱電力モードによるデータリンクの切断を通信部２９に対して要求し、一時的にデータリンクを切断する。
その後、ユーザによりパーソナルコンピュータ１に接続することが指示されたとき、ステップＳ２４９に進み、通信部８９は、ＣＰＵ８１による制御に基づいて、通常電力モードを設定する。
ＰＤＡ１１のＣＰＵ８１は、ステップＳ２５０において、保存しておいた画像データに基づいて、パーソナルコンピュータ１の外観画像を表示部８６に表示させる。これにより、ユーザは、通常電力モードによりデータリンクを確立する通信相手の端末を予め確認することができる。
例えば、ステップＳ２５１において、表示部８６に表示された外観のパーソナルコンピュータ１に接続することがユーザにより指示されたとき、ステップＳ２５２に進み、通信部８９は、機器ＩＤを送信し、通常電力モードによる接続を通信部２９に対して要求する。
その要求がステップＳ２７０において通信部２９により受信され、機器ＩＤの認証が成立したとき、通常電力モードによるデータリンクが確立される（Ｓｔａｔｅ３）。
以上のように、微弱電力モードによるデータリンクが確立されたときに送信されてきたデータに基づいて、端末の外観画像が表示されるようにすることにより、より確実に、ユーザが所望する通信相手の端末との間で通信を確立させることができる。
なお、以上においては、微弱電力モードによる通信が確立されたときに、通信相手の機器を表す情報として外観画像が送信されるとしたが、それ以外にも、通信相手の機器の名称などの各種の特徴情報が送信され、ユーザに提示されるようにしてもよい。
また、通信相手の機器に関する音声情報が送信され、それに基づく音声案内が出力されるようにすることにより、音声情報が受信された機器に表示部が設けられていない場合であっても、接続する機器に関する情報をユーザに予め提示することが可能となる。
上述した一連の処理は、ハードウェアにより実行させることもできるが、ソフトウェアにより実行させることもできる。
一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば、汎用のパーソナルコンピュータなどに、ネットワークや記録媒体からインストールされる。
この記録媒体は、図２に示すように、装置本体とは別に、ユーザにプログラムを提供するために配布される、プログラムが記録されている磁気ディスク３１（フロッピディスクを含む）、光ディスク３２（ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ）を含む）、光磁気ディスク３３（ＭＤ（登録商標）（Ｍｉｎｉ−Ｄｉｓｋ）を含む）、もしくは半導体メモリ３４などよりなるパッケージメディアにより構成されるだけでなく、装置本体に予め組み込まれた状態でユーザに提供される、プログラムが記録されているＲＯＭ２２や、記憶部２８に含まれるハードディスクなどで構成される。
なお、本明細書において、記録媒体に記録されるプログラムを記述するステップは、記載された順序に従って時系列的に行われる処理はもちろん、必ずしも時系列的に処理されなくとも、並列的あるいは個別に実行される処理をも含むものである。
また、本明細書において、システムとは、複数の装置により構成される装置全体を表すものである。
産業上の利用可能性
以上のように、本発明によれば、容易に、かつ確実にアクセスの制限を行うことができる。
【図面の簡単な説明】
図１は、本発明を適用した通信システムの構成例を示す図である。
図２は、図１のパーソナルコンピュータの構成例を示すブロック図である。
図３は、図２のリーダの構成例を示すブロック図である。
図４は、図１のＰＤＡの構成例を示すブロック図である。
図５は、図４のＩＣタグの構成例を示すブロック図である。
図６は、図２のパーソナルコンピュータの処理を説明するフローチャートである。
図７は、図４のＰＤＡの処理を説明するフローチャートである。
図８は、図４のＰＤＡの他の処理を説明するフローチャートである。
図９は、図２のパーソナルコンピュータの他の処理を説明するフローチャートである。
図１０は、図２のパーソナルコンピュータのさらに他の処理を説明するフローチャートである。
図１１は、図１のパーソナルコンピュータの他の構成例を示すブロック図である。
図１２は、図１のＰＤＡの他の構成例を示すブロック図である。
図１３は、図１２のＰＤＡの処理を説明するフローチャートである。
図１４は、図１１のパーソナルコンピュータの処理を説明するフローチャートである。
図１５は、図１１のパーソナルコンピュータの他の処理を説明するフローチャートである。
図１６は、パーソナルコンピュータとＰＤＡにより送受信される情報の例を示す図である。
図１７は、図１のパーソナルコンピュータのさらに他の構成例を示すブロック図である。
図１８は、図１のＰＤＡのさらに他の構成例を示すブロック図である。
図１９は、図１８のＰＤＡの処理を説明するフローチャートである。
図２０は、図１７のパーソナルコンピュータの処理を説明するフローチャートである。
図２１は、図１７のパーソナルコンピュータの他の処理を説明するフローチャートである。
図２２は、図１７のパーソナルコンピュータの他の処理を説明する、図２１に続くフローチャートである。
図２３は、通信システムの構成例を示す図である。
図２４は、図２３の通信部の構成例を示すブロック図である。
図２５は、図２３の通信システムの動作を説明するフローチャートである。
図２６は、図２３の通信システムの他の動作を説明するフローチャートである。
【図１】
2003038635.tif 000003
【図２】
2003038635.tif 000004
【図３】
2003038635.tif 000005
【図４】
2003038635.tif 000006
【図５】
2003038635.tif 000007
【図６】
2003038635.tif 000008
【図７】
2003038635.tif 000009
【図８】
2003038635.tif 000010
【図９】
2003038635.tif 000011
【図１０】
2003038635.tif 000012
【図１１】
2003038635.tif 000013
【図１２】
2003038635.tif 000014
【図１３】
2003038635.tif 000015
【図１４】
2003038635.tif 000016
【図１５】
2003038635.tif 000017
【図１６】
2003038635.tif 000018
【図１７】
2003038635.tif 000019
【図１８】
2003038635.tif 000020
【図１９】
2003038635.tif 000021
【図２０】
2003038635.tif 000022
【図２１】
2003038635.tif 000023
【図２２】
2003038635.tif 000024
【図２３】
2003038635.tif 000025
【図２４】
2003038635.tif 000026
【図２５】
2003038635.tif 000027
【図２６】
2003038635.tif 000028
【国際調査報告】
2003038635.tif 000029
2003038635.tif 000030
2003038635.tif 000031
2003038635.tif 000032